(57)【要約】【課題】複数機種を用いて実現していた機能を１つの携帯端末、又は、１つの携帯端末と外部端末で実現でき、複数の機能をより安価に手に入れることができる携帯端末及びマルチメディアシステムを提供すること。【解決手段】マルチメディアシステム１０は、他からのリソース情報をもとにプログラムを起動することによりマルチメディア機器として機能する携帯情報端末４０と、携帯情報端末４０にリソース情報を供給し、かつ携帯情報端末４０からのデータを出力するマルチメディア入出力端末２０と、を備える。携帯情報端末４０のＣＰＵ５３は、外部メモリ４５に格納された複数のプログラムのうち、各プログラム間で同一の機能プログラムについては共有して使用する。【選択図】図１
2012226670.tif 000002
【特許請求の範囲】
【請求項１】
複数のプログラムを格納する第１のメモリと、
外部端末と接続するインターフェースと、
前記インターフェースを介して読み取ったリソース情報に基づき、前記第１のメモリからプログラムを読み出す読出手段と、
前記読み出したプログラムを格納する第２のメモリと、前記第２のメモリに格納されたプログラムを実行する実行手段と、を備え、
前記実行手段は、前記第１のメモリに格納された複数のプログラムのうち、各プログラム間で同一の機能プログラムについては共有して使用する携帯端末。
【請求項２】
前記第１のメモリには、少なくとも携帯端末用プログラムを有し、さらに車載マルチメディアシステム用プログラム、ＡＶシステム用プログラム、ネットパソコン用プログラム、タブレット端末用プログラムのいずれか１つ以上のプログラムが格納されている、請求項１記載の携帯端末。
【請求項３】
前記機能プログラムは、インターネット接続用プログラム、メール用プログラム、オーディオ用プログラム、ビデオ用プログラム、文書・図面作成用プログラムのいずれか１つ以上のプログラムからなる、請求項１又は請求項２に記載の携帯端末。
【請求項４】
前記インターフェースを前記外部端末に接続せずに起動した場合には、前記第１のメモリから前記携帯端末用プログラムを読み出し、前記第２のメモリへ格納する、請求項２記載の携帯端末。
【請求項５】
前記第１のメモリに格納されている前記プログラムは、インターネットを利用して変更可能である、請求項１に記載の携帯端末。
【請求項６】
複数のプログラムを格納する第１のメモリを有する携帯端末と、
前記携帯端末にリソース情報を供給し、かつ前記携帯端末からのデータを出力する入出力端末とを備え、
前記携帯端末は、読み取った前記リソース情報に基づき、前記第１のメモリからプログラムを読み出す読出手段と、前記読み出したプログラムを格納する第２のメモリと、前記第２のメモリに格納されたプログラムを実行する実行手段とを備え、前記実行手段は、前記第１のメモリに格納された複数のプログラムのうち、各プログラム間で同一の機能プログラムについては共有するマルチメディアシステム。
【請求項７】
前記入出力端末は、少なくとも表示モニターとスピーカとを備える、請求項６記載のマルチメディアシステム。
【請求項８】
前記第１のメモリには、少なくとも携帯端末用プログラムを有し、さらに車載マルチメディアシステム用プログラム、ＡＶシステム用プログラム、ネットパソコン用プログラム、タブレット端末用プログラムのいずれか１つ以上のプログラムが格納されている、請求項６又は請求項７に記載のマルチメディアシステム。
【請求項９】
前記第１のメモリから読み出した前記プログラムを実行するために必要となる機能プログラムは、前記第１のメモリに格納されている複数の前記プログラム間で共有する、請求項６記載のマルチメディアシステム。
【請求項１０】
前記機能プログラムは、インターネット接続用プログラム、メール用プログラム、オーディオ用プログラム、ビデオ用プログラム、文書・図面作成用プログラムのいずれか１つ以上のプログラムからなる、請求項６記載のマルチメディアシステム。
【請求項１１】
前記第１のメモリに格納されている前記プログラムは、インターネットを利用して変更可能である、請求項６記載のマルチメディアシステム。
【発明の詳細な説明】
【技術分野】
【０００１】
本発明は、他からのリソース情報をもとにプログラムを起動することにより様々なマルチメディア機器として機能する携帯端末及びそれを利用したマルチメディアシステムに関する。
【背景技術】
【０００２】
スマートホンに代表される携帯情報端末は、携帯電話だけの機能ではなく、オーディオ機器としても使え、さらに、テレビ、パソコン、カーナビとしても使用が見込まれている。
【０００３】
一方、車載マルチメディアシステム（携帯情報端末、及び、車載マルチメディア入出力端末）を実現する技術について以下のようなものがある。
【０００４】
特許文献１には、取り外し可能なナビゲーションシステムのための方法及び装置が記載されている。特許文献１記載の装置は、ナビゲーション機能を有するハンドヘルドユニットを車両のダッシュボードに、収容するための受け口を設け、装着する取り外し可能なナビゲーションシステムである。このナビゲーションシステムでは、ディスプレイとしてハンドヘルドユニットが本来持っているディスプレイを使用する。したがって、そのサイズは５インチ程度であり、細かな地図が見にくいという欠点がある。
【０００５】
特許文献２には、ポータブルプレーヤを本来の目的に使用可能としつつ、車内でのナビゲーションに利用する車載マルチメディアシステムが記載されている。特許文献２記載の装置は、ポータブルプレーヤのハードディスクドライブに記憶された楽曲データや住所録データ、案内経路データ、旅行ログデータを車載マルチメディア装置のＡＶシステムプログラムなどがナビゲーションシステムから利用可能になる。低価格な車載マルチメディアシステムを実現するものではない。
【０００６】
特許文献３には、ＧＰＳ機能付き携帯情報通信装置をカーナビゲーション用に使用するＧＰＳ機能付き携帯情報通信装置が開示されている。特許文献３記載の装置は、ターゲットがカーナビに限定されている。
【先行技術文献】
【特許文献】
【０００７】
【特許文献１】特表２００５−５２４５７０号公報
【特許文献２】特開２００６−１７０７５２号公報
【特許文献３】特開２００８−３０９７９４号公報
【発明の概要】
【発明が解決しようとする課題】
【０００８】
しかしながら、スマートホンに代表される携帯情報端末は、１つでマルチメディアに対応するため、機能が中途半端で使い勝手が悪くなる虞がある。
【０００９】
また、このような携帯情報端末は、過度なスペック要求に応えるため、ハードの価格が高くなっていた。さらには、ハードが高価であるがゆえに、新興国での様々な製品の広がりに足止めがかかり、また学校教育への導入も困難なものとなっている。
【００１０】
本発明の目的は、複数機種を用いて実現していた機能を１つの携帯端末、又は、１つの携帯端末と外部端末で実現でき、複数の機能をより安価に手に入れることができる携帯端末及びマルチメディアシステムを提供することである。
【課題を解決するための手段】
【００１１】
本発明の携帯端末は、複数のプログラムを格納する第１のメモリと、外部端末と接続するインターフェースと、前記インターフェースを介して読み取ったリソース情報に基づき、前記第１のメモリからプログラムを読み出す読出手段と、前記読み出したプログラムを格納する第２のメモリと、前記第２のメモリに格納されたプログラムを実行する実行手段と、を備え、前記実行手段は、前記第１のメモリに格納された複数のプログラムのうち、各プログラム間で同一の機能プログラムについては共有して使用する構成を採る。
【００１２】
本発明のマルチメディアシステムは、複数のプログラムを格納する第１のメモリを有する携帯端末と、前記携帯端末にリソース情報を供給し、かつ前記携帯端末からのデータを出力する入出力端末とを備え、前記携帯端末は、読み取った前記リソース情報に基づき、前記第１のメモリからプログラムを読み出す読出手段と、前記読み出したプログラムを格納する第２のメモリと、前記第２のメモリに格納されたプログラムを実行する実行手段とを備え、前記実行手段は、前記第１のメモリに格納された複数のプログラムのうち、各プログラム間で同一の機能プログラムについては共有する構成を採る。
【発明の効果】
【００１３】
本発明によれば、複数機種を用いて実現していた機能を１つの携帯端末、又は、１つの携帯端末と外部端末で実現でき、複数の機能をより安価に手に入れることができ、利便性向上を図ることができる。
【図面の簡単な説明】
【００１４】
【図１】本発明の実施の形態１に係るマルチメディアシステムの構成を示すブロック図
【図２】上記実施の形態１に係るマルチメディアシステムの構成を模式的に示す図
【図３】上記実施の形態１に係るマルチメディアシステムの外部メモリに保存されるプログラムの内容を示す図
【図４】上記実施の形態１に係るマルチメディアシステムの外部メモリからメモリ部にロードするプログラムを具体的に示す図
【図５】上記実施の形態１に係るマルチメディアシステムの簡易「オーディオモード」の場合のＵＩ画面の相違を示す図
【図６】上記実施の形態１に係るマルチメディアシステムの簡易「メールモード」と「メールモード」の場合のＵＩ画面の相違を示す図
【図７】上記実施の形態１に係るマルチメディアシステムの「カーナビモード」で起動された場合に、車載マルチメディア入出力端末の表示モニタに表示されるメニューの一例を示す図
【図８】ＨＤＭＩのコネクタを示す図
【図９】ＨＤＭＩの構成を示す図
【図１０】上記実施の形態１に係るマルチメディアシステムの「携帯モード」において簡易カーナビ機能を使用した場合に携帯情報端末の表示モニタに表示されるカーナビ画面の一例を示す図
【図１１】本発明の実施の形態２に係るマルチメディアシステムの構成を示すブロック図
【図１２】本発明の実施の形態３に係るマルチメディアシステムの構成を示すブロック図
【図１３】本発明の実施の形態４に係るマルチメディアシステムの構成を示すブロック図
【図１４】上記実施の形態４に係るマルチメディアシステムの構成を模式的に示す図
【図１５】上記実施の形態４に係るマルチメディアシステムの「ネットパソコンモード」で起動された場合のネットパソコン向けマルチメディア入出力端末の表示モニタのメニューの一例を示す図
【図１６】本発明の実施の形態５に係るマルチメディアシステムの構成を示すブロック図
【図１７】上記実施の形態５に係るマルチメディアシステムの構成を模式的に示す図
【図１８】上記実施の形態５に係るマルチメディアシステムの外部メモリに保存されるプログラムの内容を示す図
【図１９】上記実施の形態５に係るマルチメディアシステムの外部メモリからメモリ部にロードするプログラムを具体的に示す図
【図２０】上記実施の形態５に係るマルチメディアシステムの「タブレットモード」で起動された場合に、タブレット入出力端末の表示モニタに表示されるメニューの一例を示す図
【発明を実施するための形態】
【００１５】
以下、本発明の実施の形態について、図面を参照して詳細に説明する。
【００１６】
（実施の形態１）
図１は、本発明の実施の形態１に係るマルチメディアシステムの構成を示すブロック図であり、車載マルチメディアシステムに適用した例である。
【００１７】
なお、以下の説明において、車載マルチメディアシステムとは、マルチメディア入出力端末が車載マルチメディア入出力端末であるマルチメディアシステムをいう。
【００１８】
図１に示すように、車載マルチメディアシステム１０は、車載マルチメディア入出力端末２０と、携帯情報端末４０とから構成される。
【００１９】
本携帯情報端末は、入出力端末と組み合わされて、各マルチメディアシステムを構成する。
【００２０】
〔車載マルチメディア入出力端末２０〕
車載マルチメディア入出力端末２０は、表示モニタ２１、スピーカ２２、バッテリ２３、電源回路２４、及び車載マルチメディア入出力端末用信号処理部３０を備える。
【００２１】
車載マルチメディア入出力端末用信号処理部３０は、Ｉ／Ｆ部３１、内部バス３２、ＣＰＵ３３、内部メモリ３４、表示モニタ制御部３５、タッチパネル３６、オーディオ出力部３７、及びバッテリ制御部３８を備える。
【００２２】
〔携帯情報端末４０〕
携帯情報端末４０は、ＧＰＳアンテナ４１と、携帯情報端末用アンテナ４２と、表示モニタ４３と、スピーカ４４と、外部メモリ４５、バッテリ４６、携帯情報端末用信号処理部５０とから構成されている。
【００２３】
携帯情報端末用信号処理部５０は、さらに、Ｉ／Ｆ部５１と、内部バス５２、ＣＰＵ５３、内部メモリ５４、ナビゲーション機能部５５、インターネット接続機能部５６、ＡＶデータ記録・再生機能部５７、メモリ部５８、表示モニタ制御部６０、オーディオ出力部６１、外部メモリコントローラ６２、及びバッテリ制御部６３を備える。
【００２４】
車載マルチメディア入出力端末２０のＩ／Ｆ部３１と携帯情報端末４０のＩ／Ｆ部５１とは、コネクタ７０により接続されている。なお、Ｉ／Ｆ部３１とＩ／Ｆ部５１の具体的な構成例については、図８及び図９により後述する。
【００２５】
携帯情報端末４０は、ＨＤＤ又はＮＡＮＤフラッシュメモリから構成された外部メモリ４５と、ｅＤＲＡＭ又はＳＤＲＡＭから構成されたメモリ部５８と、ＳＲＡＭ又はＮＯＲフラッシュメモリから構成された内部メモリ５４を内蔵している。外部メモリ４５は、アクセス速度の点からは、ＨＤＤで構成するよりＮＡＮＤフラッシュメモリで構成するほうが好ましい。これらのメモリのうち、ＨＤＤやＮＡＮＤフラッシュメモリはアクセススピードが最も低速であり、ＳＲＡＭやＮＯＲフラッシュメモリが最も高速であり、メインメモリであるｅＤＲＡＭやＳＤＲＡＭがその間に位置する。
【００２６】
外部メモリ４５には、後述する図３に示す携帯情報端末用プログラム１１０と、車載マルチメディアシステム用プログラム１２０と、ＡＶシステム用プログラム１３０と、ネットパソコン用ブログラム１４０の全体が格納されている。
【００２７】
ＣＰＵ５３の内部メモリ５４には、携帯情報端末４０のリアルタイム性の高いＯＳプログラムやメモリ管理などの最重要なプログラムが書き込まれている。ランダムアクセスすることができる不揮発性メモリであるＮＯＲフラッシュメモリか常時電池でデータが保持されたＳＲＡＭが使用されている。
【００２８】
内部メモリ５４、メモリ部５８、外部メモリ４５と３階層あるメモリを機能の重複が無いように有効に使用して、少ないリソースで違和感のない操作性を実現する仕組みを確立することが、マルチメディアシステム１０実現のポイントである。
【００２９】
上述したように、本携帯情報端末は、入出力端末と組み合わされて、各マルチメディアシステムを構成する。すなわち、携帯情報端末単体では、「携帯モード」で動作する。携帯情報端末及び車載マルチメディア入出力端末の場合は、「カーナビモード」で動作する。携帯情報端末及びネットパソコン向けマルチメディア入出力端末の場合は、「ネットパソコンモード」で動作する。携帯情報端末及びＡＶシステム向けマルチメディア入出力端末の場合は、「ＡＶモード」で動作する。
【００３０】
各モードの動作に必要なプログラムは、外部メモリ４５（図３）に格納されている。携帯情報端末４０のＣＰＵ５３は、Ｉ／Ｆ５１にマルチメディア入出力端末（ここでは、車載マルチメディア入出力端末２０）が接続されると、各マルチメディア入出力端末のリソース情報を基に、接続されたマルチメディア入出力端末に対応したプログラムをメモリ部５８にロードする。
【００３１】
ここで、マルチメディア入出力端末と携帯情報端末との間では、マルチメディア入出力端末の情報伝達方法、及びマルチメディア入出力端末の情報伝達フォーマットは予め決められており、個々のマルチメディア入出力端末には、情報伝達フォーマットに準拠して、予めマルチメディア入出力端末の機能や性能に関する装置情報（リソース情報）が記録されている。
【００３２】
マルチメディア入出力端末の情報伝達方法及び情報伝達フォーマットについては、後述するＨＤＭＩのＤＣＣやＥＤＩＤが考えられ、これらの情報伝達方法及び情報伝達フォーマットによって、マルチメディア入出力端末のリソース情報がマルチメディア入出力端末から携帯情報端末に伝達される。
【００３３】
上記リソース情報を受け取った携帯情報端末では、予め携帯情報端末内に記録されている個々のマルチメディア入出力端末のリソース情報とプログラムの対応テーブルに基づいて選択されたプログラムが外部メモリからメモリ部へ記録される。
【００３４】
また、コスト低減のため、外部メモリ４５は、第１メモリ容量（例えば６４ＧＢ〜１２８ＧＢ程度）、メモリ部５８は、第１メモリ容量より小さい第２メモリ容量（例えば４ＧＢ〜８ＧＢ程度）にすることが好ましい。
【００３５】
本実施の形態の携帯情報端末では、外部メモリ４５には、携帯情報端末用プログラム以外に、車載マルチメディアシステム用プログラムとＡＶシステム用プログラムとネットパソコン用プログラムが格納されている例を記載するが、これらのプログラムに限定されるものではない。また、携帯情報端末用プログラム以外に２つ以上のプログラムを格納する場合を想定している。これら外部メモリに格納されるプログラムについては、携帯端末購入時に必要としたプログラムのほかに、その後、ユーザがほしいと思った機能については、携帯端末にインターネットからダウンロードすることで追加入手することが可能である。
【００３６】
次に、主プログラム、及び簡易プログラム（図４)の構成について説明する。
【００３７】
簡易プログラムとは、主プログラムのサブセットであり、主プログラムのソフトウェアの機能を必須のもののみに限定したものである。一例では、主プログラムであるオーディオ（音楽再生）用プログラムにおいては、イコライザー機能や音場制御などの高音質な音楽再生のための様々な機能が内蔵されている。簡易オーディオ用プログラムでは、音の強弱の調整機能や音楽の進行制御などの音楽再生のための最低限な機能に機能が限定されている。
【００３８】
図４（ａ）に示すように、ＡＶシステム用プログラムを外部メモリ４５からメモリ部５８（図１）にロードし、携帯情報端末を「ＡＶモード」で起動する場合、主プログラムであるオーディオ（音楽再生）用プログラムを使用する。他の「携帯モード」「カーナビモード」「ネットパソコンモード」で起動するために携帯情報端末用プログラム、車載マルチメディアシステム用プログラム、ネットパソコン用プログラムをそれぞれロードする場合には「ＡＶモード」で起動する場合ほどの高度な機能は必要ないため、音楽再生のために最低限必要な機能を備えた簡易オーディオ（音楽再生）用プログラムをロードする。
【００３９】
本実施の形態の携帯情報端末には、マルチメディアシステムを「携帯モード」「カーナビモード」「ＡＶモード」「ネットパソコンモード」で起動するため、主プログラムとして「メール用プログラム」「インターネット用プログラム」「オーディオ用プログラム」「ビデオ用プログラム」「文書・図表作成用プログラム」「カーナビ用プログラム」を備えており、それぞれの主プログラムは機能を限定した簡易プログラムを備えている。
【００４０】
これらの主プログラム及び簡易プログラムは、各モード間で使いまわしされる。すなわち、「カーナビモード」で起動する場合には、主プログラムである「カーナビ用プログラム」に加え、「簡易インターネット用プログラム」「簡易オーディオ用プログラム」「簡易ビデオ用プログラム」を併せた車載マルチメディア用プログラムをロードする一方で、「ＡＶモード」で起動する場合には、主プログラムである「オーディオ用プログラム」「ビデオ用プログラム」に加え、上記「カーナビモード」で使用した「簡易インターネット用プログラム」を併せたＡＶシステム用プログラムをロードする。
【００４１】
このように、各モード間で同様の機能を使用する場合には、必要となるプログラムを使いまわすことで、プログラムの重複を無くし、外部メモリの容量を削減することが可能である。
【００４２】
但し、それぞれのモードで使用されるディスプレイのサイズが異なるので、図４（ｂ）に示すように、ＵＩは異なる。これにより、オーディオ機能を選択したときのＵＩは、図５に示すようになり、メール機能を選択したときのＵＩは、図６に示すようになる。
【００４３】
また、カーナビ機能において、携帯モードとカーナビモードでは、後述する図１０のように外部メモリ４５に格納されている地図のデータは同一でも、メモリ部５８にロードする地図データやプログラムを変えることにより、地図の見え方を変えている。詳しく後述する。
【００４４】
但し、精度のよい地図データは、データ容量が大きいので、ＧＰＳのデータを利用して現在必要な地図データのみ、メモリ部５８にロードする。このことは、音楽データ、映像データにも当てはまる。
【００４５】
上記マルチメディア入出力端末２０は、基本的には、大容量メモリである外部メモリ（図示せず）を搭載しないことでコストを低減する。しかし、下記の理由で大容量なる外部メモリ（図示せず）を搭載することもある。
【００４６】
携帯情報端末４０の外部メモリ４５は、大容量の映像データ格納時、容量が不十分な場合が発生する。また、携帯情報端末４０は、小型化・薄型化のため外部メモリ４５として大容積のＨＤＤなどを搭載することはできない場合もある。
【００４７】
この場合、マルチメディア入出力端末２０側に大容量なＨＤＤなどを搭載することが考えられる。マルチメディア入出力端末２０は、大容量なＨＤＤなどを搭載し、画像データなどを圧縮して蓄積する。画像データなどを伸張するときには、一旦、携帯情報端末４０にデータを転送して、携帯情報端末４０のＡＶデータ記録・再生機能部５７が、伸張処理を行う。そして、マルチメディア入出力端末２０の表示モニタ２１で表示する。
【００４８】
この構成にすると、車載マルチメディア入出力端末２０の価格は高くなるものの、携帯情報端末４０の外部メモリ４５の容量を小さくすることができるので、携帯情報端末４０の価格を低く抑えることができる。
【００４９】
〔車載マルチメディアシステム８０の外観〕
図２は、車載マルチメディアシステム８０の構成を模式的に示す図である。
【００５０】
図１に示す車載マルチメディアシステム１０は、図２に示す車載マルチメディアシステム８０の外観を有する。また、図１に示す車載マルチメディア入出力端末２０と携帯情報端末４０の外観についても同様である。
【００５１】
図２（ａ）に示すように、車載マルチメディアシステム８０は、車載マルチメディア入出力端末８１と、携帯情報端末８４とから構成される。
【００５２】
車載マルチメディア入出力端末８１は、表示モニタ８２と、車載マルチメディア入出力端末の筐体８３とから構成される。
【００５３】
車載マルチメディア入出力端末８１と携帯情報端末８４は、共に電源がオフの状態で分離されている（図２（ａ）参照）。車載マルチメディア入出力端末８１は、通常、車両のダッシュボックスに装着されている。
【００５４】
一方、携帯情報端末８４は、通常、車両を運転する人が携帯電話（特に、スマートホン）として使用している。携帯情報端末８４は、「携帯モード」「カーナビモード」「ＡＶモード」「ネットパソコンモード」の４つのモードで動作するように構成されている。この場合、携帯情報端末８４は、車載マルチメディア入出力端末８１に接続されていないので、既定モードである「携帯モード」で動作している。
【００５５】
車両を運転する人は、車両に乗車した後、車載マルチメディア入出力端末８１つの表示モニタ８２を開く（図２（ｂ）参照）。車載マルチメディアシステム８０を使用しようとする場合、携帯情報端末８４を車載マルチメディア入出力端末の筐体８３の中のコネクター（図示せず）に装着し、表示モニタ８２を閉じる。
【００５６】
その後、車載マルチメディア入出力端末８１つの電源を「オン」し、図１に示す車載マルチメディアシステム１０に電圧が供給され、表示モニタ２１と、スピーカ２２と、車載マルチメディア入出力端末用信号処理部３０とが動作し始める。
【００５７】
車載マルチメディア入出力端末８１つの最小限ハードウェア構成は、車載マルチメディア入出力端末用信号処理部３０以外には、表示モニタ２１と、スピーカ２２だけである。
【００５８】
車載マルチメディア入出力端末８１は、カーナビ機能とオーディオ機能とを必須機能として備える。さらに、車両のバックをモニタするリアビューカメラ機能、リアシートでのＳＤビデオ視聴機能などをオプション機能として搭載することも可能である。
【００５９】
〔車載マルチメディア入出力端末２０の機能設定〕
車載マルチメディア入出力端末２０がどのような機能に対応しているかは、ＣＰＵ３３の内部メモリ３４の不揮発性メモリ部にリソース情報として記録されている。その一例を、〔表１〕に示す。
【００６０】
【表１】
2012226670.tif 000003
〔表１〕に示すように、ＣＰＵ３３の内部メモリ３４の不揮発性メモリ部には、以下の処理をして、車載マルチメディア入出力端末２０のリソース情報を書き込む。
【００６１】
車載マルチメディア入出力端末２０の電源を単独で「オン」すると、ＣＰＵ３３はその内部メモリ３４のブートプログラム（図示せず）が走り、表示モニタ２１に必須機能である表示モニタ、オーディオとオプション機能のリアビューカメラ機能、リアシートでのＳＤビデオ視聴機能などの機能一覧表を表示する。車載マルチメディア入出力端末２０の製造者は、タッチパネル３６を使用して、車載マルチメディア入出力端末２０が具備している機能にタッチして、ＣＰＵ３３の内部メモリ３４の不揮発性メモリ部にリソース情報を入力する。このようにして、車載マルチメディア入出力端末２０のＣＰＵ３３の内部メモリ３４の不揮発性メモリ部に車載マルチメディア入出力端末２０のリソース情報が書き込まれる。
【００６２】
車載マルチメディア入出力端末２０の電源回路２４には、車両本体から電源が供給されている。この電源はバッテリ２３に供給され、これを充電するとともにバッテリ制御回路３８を経由してＩ／Ｆ３１に接続されている。電源回路２４を「オン」すると、まず、ＣＰＵ３３がその内部メモリ３４の不揮発性メモリ部に記録されている必須機能、オプション機能の内容であるリソース情報を読み出す。
【００６３】
車載マルチメディア入出力端末２０のＩ／Ｆ部３１と携帯情報端末４０のＩ／Ｆ部５１とは、コネクタ７０で接続されている。このＩ／Ｆ信号の中に電源電位のライン、グランド電位のラインが含まれているので、携帯情報端末４０の携帯情報端末用信号処理部５０の電源電位、グランド電位はこれから供給される。なお、携帯情報端末用信号処理部５０以外のブロックであるＧＰＳアンテナ４１と、携帯情報端末用アンテナ４２と、表示モニタ４３と、スピーカ４４と、外部メモリ４５などの消費電力は多少大きいが、これらの電源電位、グランド電位も、Ｉ／Ｆ部３１とＩ／Ｆ部５１から内部バス５２、バッテリ制御部６３経由でバッテリ４６に充電された電力をもとに供給される。
【００６４】
〔携帯情報端末４０における各モード起動〕
車載マルチメディア入出力端末２０のＣＰＵ３３は、内部メモリ３４の不揮発性メモリ部に記録されている前記必須機能、及び前記オプション機能の内容であるリソース情報を読み出す。
【００６５】
その後、車載マルチメディア入出力端末２０のＣＰＵ３３は、Ｉ／Ｆ部３１及び携帯情報端末４０のＩ／Ｆ部５１を経由して、携帯情報端末用信号処理部５０のＣＰＵ５３の内部メモリ５４に、車載マルチメディア入出力端末２０のリソース情報を書き込む。
【００６６】
携帯情報端末用信号処理部５０のＣＰＵ５３は、リソース情報に基づいて、必要なプログラムを外部メモリからメモリ部にロードし、携帯情報端末用信号処理部５０の各機能ブロックであるナビゲーション機能部５５と、インターネット接続部５６と、ＡＶデータ記録・再生機能部５７と、携帯情報端末４０のＧＰＳアンテナ４１と、携帯情報端末用アンテナ４２とを共に「カーナビモード」で起動する。
【００６７】
「カーナビモード」においては、携帯情報端末４０の表示モニタ４３と、スピーカ４４への電気的な接続は解除され、これらのリソースに代わって、車載マルチメディア入出力端末２０の表示モニタ２１とスピーカ２２とを使用する。
【００６８】
この場合、低消費電力化のために携帯情報端末用信号処理部５０の表示モニタ制御部６０と、オーディオ出力部６１のブロックに供給されている電源は遮断する。
【００６９】
〔表２〕は、携帯情報端末、車載マルチメディアシステム、ネットＡＶシステム、ネットパソコンがそれぞれどのような機能を内蔵するかの仕様検討した結果を示す。この内容はあくまで一例であり、この例以外の機能割り当ても可能である。
【００７０】
【表２】
2012226670.tif 000004
〔表２〕において、◎印は、主要な機能として内蔵すべき機能である。また、データ容量が大きい機能である。例えば、カーナビゲーション用の地図は全国版で４ＧＢ程度になるので、カーナビゲーション用の地図の取り扱いには工夫が必要である。また、オーディオ（音楽再生）データも、１５００曲程度で４ＧＢ程度になる。ビデオ（ビデオ再生）データは、ハイビジョンでなく、通常のＤＶＤ画質の映画１本でも５ＧＢ程度になるので、映画の保存には、制限が必要である。
【００７１】
○印は、主要な機能として内蔵することが好ましい機能である。データ容量はそれほど大きくは無い機能である。また、△印は、簡易機能を内蔵する。×印の機能は、内蔵しない。
【００７２】
〔外部メモリ４５に保存されるプログラムの内容〕
図３は、外部メモリ４５に保存されるプログラムの内容を示す図である。図３は、〔表２〕の検討結果を基に作成している。
【００７３】
図３に示すように、外部メモリ４５には、携帯情報端末用プログラム１１０と、車載マルチメディアシステム用プログラム１２０と、ＡＶシステム用プログラム１３０と、ネットパソコン用プログラム１４０とが格納される。
【００７４】
外部メモリ４５は、携帯情報端末用プログラム１１０以外に少なくとも１つのプログラムを格納する。本実施の形態は、携帯情報端末用プログラム１１０以外に、３つのプログラム、すなわち車載マルチメディアシステム用プログラム１２０、ＡＶシステム用プログラム１３０、及びネットパソコン用プログラム１４０を格納する場合の例である。外部メモリ４５に格納される各プログラムは、一例でありこれに限定されるものではない。また、外部メモリ４５に格納するプログラムの内容は、インターネットを用いて変更できるようにすることもできる。
【００７５】
[携帯情報端末用プログラム１１０]
携帯情報端末用プログラム１１０は、電話機能用の携帯情報端末用プログラム（図示せず）のほかに、簡易メール用データ１１２を内蔵した簡易メール用プログラム１１１、簡易インターネット用データ１１４を内蔵した簡易インターネット接続用プログラム１１３、簡易オーディオ用データ１１６を内蔵した簡易オーディオ用プログラム１１５、及び簡易カーナビ用データ１１８を内蔵した簡易カーナビ用プログラム１１７などを含む。
【００７６】
[車載マルチメディアシステム用プログラム１２０]
車載マルチメディアシステム用プログラム１２０は、全国地図などのカーナビゲーション用データ１２２を内蔵した主要なプログラムであるカーナビゲーション用プログラム１２１のほか、簡易インターネット用データ１２４を内蔵した簡易インターネット接続用プログラム１２３、簡易オーディオ用データ１２６を内蔵した簡易オーディオ用プログラム１２５、簡易ビデオ用データ１２８を内蔵した簡易ビデオ用プログラム１２７、簡易リアビューカメラ用データ１２９ｂを内蔵した簡易リアビューカメラ用プログラム１２９ａなどを含む。
【００７７】
[ＡＶシステム用プログラム１３０]
ＡＶシステム用プログラム１３０は、音楽データなどのオーディオ用データ１３２を内蔵した主要なプログラムであるオーディオ（音楽再生）用プログラム１３１とビデオ用データ１３４を内蔵した同じく主要なプログラムであるビデオ（ビデオ再生）用プログラム１３３のほか、簡易インターネット用データ１３６を内蔵した簡易インターネット接続用プログラム１３５などを含む。
【００７８】
[ネットパソコンシステム用プログラム１４０]
ネットパソコンシステム用プログラム１４０は、インターネット用データ１４２を内蔵した主要なプログラムであるインターネット接続用プログラム１４１と、メール用データ１４４を内蔵した同じく主要なプログラムであるメール用プログラム１４３と、文書・図表用データ１４６を内蔵した同じく主要なプログラムである文書・図表作成用プログラム１４５のほか、簡易オーディオ用データ１４８を内蔵した簡易オーディオ用プログラム１４７と、簡易ビデオ用データ１４９ｂを内蔵した簡易ビデオ用プログラム１４９ａとを含む。
【００７９】
また、ネットパソコン用プログラム１４０には、文書・図表作成用データ１４６を内蔵した主要な文章・図表作成用プログラム１４５があり、「ネットパソコンモード」で作成した文章や図表などは、文書・図表作成用データ１４６として保存されている。また、「ネットパソコンモード」では、本格的なインターネット接続用のプログラムや、本格的なメール用のプログラムが動作する。
【００８０】
[プログラム適用例]
オーディオ（音楽再生）用プログラム１３１は、イコライザー機能や音場制御などの高音質な音楽再生のための様々な機能が内蔵されている。しかし、簡易オーディオ用プログラム１１５や簡易オーディオ用プログラム１２５や簡易オーディオ用プログラム１４７は、音の強弱の調整機能や音楽の進行制御などの音楽再生のための最低限な機能に機能が限定されている。
【００８１】
これら簡易オーディオ用プログラム１１５、簡易オーディオ用プログラム１２５、及び簡易オーディオ用プログラム１４７の機能は、オーディオ（音楽再生）用プログラム１３１の機能のサブセットである。また、簡易オーディオ用プログラム１１５、簡易オーディオ用プログラム１２５、簡易オーディオ用プログラム１４７の間の主な相違は、それぞれのプログラムを実行したときに表示される表示モニタのＵＩ画面の相違である。携帯情報機器の表示モニタは、例えば３．５インチ程度であるのに対して、カーナビゲーションでの表示モニタは７インチ程度、ＡＶシステムでの表示モニタは２４インチ程度、ネットパソコンの表示モニタは１２インチ程度と大幅にそれぞれの表示モニタの大きさが異なるので、それぞれの表示モニタ画面に表示されるＵＩ画面とする。
【００８２】
また、「携帯モード」においてカーナビ機能を活用する場合には、簡易カーナビゲーション用データ１１８内の簡易カーナビ地図データを利用した簡易カーナビプログラム１１７が動作する。
【００８３】
一方、「カーナビモード」においてカーナビ機能を活用する場合には、例えば７インチ表示モニタ２１用にデザインされた本格的なカーナビ地図データを内蔵したカーナビゲーション用データ１２２を利用したカーナビゲーション用プログラム１２１が動作する。
【００８４】
「ＡＶモード」を活用して過去にインターネット経由でダウンロードした楽曲データは、オーディオ用データ１３２として保存されている。また、インターネット経由でダウンロードした映画などの映像データは、ビデオ用データ１３４として保存されている。
【００８５】
〔インターフェース〕
本実施の形態の車載マルチメディアシステム１０は、車載マルチメディア入出力端末２０と携帯情報端末４０をいかなるインターフェースで接続するかが重要である。本実施の形態では、車載マルチメディア入出力端末２０のＩ／Ｆ部３１と携帯情報端末４０のＩ／Ｆ部５１とをコネクタ７０で接続している。このコネクタ７０について説明する。
【００８６】
本実施の形態では、携帯情報端末４０として比較的高価な機器を想定し、車載マルチメディア入出力端末２０はなるべく入出力機器だけの安価な構成を想定する。そのためには、携帯情報端末４０においてデコードされたビデオ信号やオーディオ信号を非圧縮信号のまま伝送する必要がある。車載マルチメディア入出力端末２０側において、ビデオ信号やオーディオ信号に対するデコーダ回路を不要にしてコスト低減を図るためである。
【００８７】
現在存在するインターフェースの中で、このような目的に合致するインターフェースとしてはＨＤＭＩ（High-Definition Multimedia Interface）が存在する。
【００８８】
ＨＤＭＩは、薄型デジタル・テレビやＤＶＤプレーヤ、ゲーム機などに備えられた、ハイビジョン映像と音声を１本のケーブルで伝送できるインターフェースである。本実施の形態では、車載マルチメディア入出力端末２０のＩ／Ｆ部３１と携帯情報端末４０のＩ／Ｆ部５１として、それぞれＨＤＭＩ送信ブロックとＨＤＭＩ受信ブロックに近いような機能を想定する。なお、ＨＤＭＩはあくまで実施例におけるインターフェースの一例であり、車載マルチメディア入出力端末２０のＩ／Ｆ部３１と携帯情報端末４０のＩ／Ｆ部５１は、それぞれＨＤＭＩ送信ブロックとＨＤＭＩ受信ブロックに限定されるものではない。
【００８９】
本実施の形態の車載マルチメディアシステム１０は、車載マルチメディア入出力端末２０のＩ／Ｆ部３１と携帯情報端末４０のＩ／Ｆ部５１とは、コネクタ７０で接続している。
【００９０】
図８（ａ）は、ＨＤＭＩのコネクタの外形を示す図、図８（ｂ）は、ＨＤＭＩのコネクタのピン配列を示す図である。また、図９は、ＨＤＭＩの構成を示す図である。
【００９１】
図９に示すように、ＨＤＭＩ送信ブロック２１０への入力信号２１１は、ビデオ信号であるＢ／Ｃｂ信号、Ｇ／Ｙ信号、Ｒ／Ｃｒ信号とオーディオ信号、パケットデータから構成されている。入力信号２１１は、ＨＤＭＩ送信ブロック２１０へ入力されると、ビデオ信号とオーディオ信号が多重化され、さらに、これらの信号はパケットデータと多重化される。次に、ＨＤＣＰ（High Bandwidth Digital Content Protection）暗号化回路２１３で暗号化され、その後、送信部２１４のＴＭＤＳ（Transition Minimized Differential Signaling）エンコード回路２１５でデータの変化点が最小になるように８ビットデータが９ビットデータに変換され、さらに、１と０が連続しないように処理される。この信号は、ＴＭＤＳ回路２１６でパラレル／シリアル変換された後、差動ドライバーでＨＤＭＩ送信ブロック２１０から出力される。
【００９２】
この信号は、すぐにＨＤＭＩ受信ブロック２２０に入力する。まず、ＴＭＤＳ回路２２１に入力され差動レシーバで受けた後、ＴＭＤＳ回路２２２によりシリアル／パラレル変換される。その後、この信号は、ＴＭＤＳデコード回路２２３によりデコード処理され、ＨＤＣＰ復号化回路２２４により復号されて分離回路２２５に入力される。分離回路２２５は、復号された信号から、ビデオ信号であるＢ／Ｃｂ信号、Ｇ／Ｙ信号、Ｒ／Ｃｒ信号とオーディオ信号をまず分離し、さらに、パケットデータを分離し、最後に、Ｂ／Ｃｂ信号、Ｇ／Ｙ信号、Ｒ／Ｃｒ信号、オーディオ信号、パケットデータを復元する。ＴＭＤＳは、オーディオと各種補助データを伝送するためにパケット構造を使用している。
【００９３】
ＨＤＭＩ受信ブロック２２０側の車載マルチメディア入出力端末２０のリソース情報をＨＤＭＩ送信ブロック２１０側の携帯情報端末４０のＣＰＵ５３内の内部メモリ５４に書き込むためには、ＤＤＣ（Display Data Channel）２３０とＥＤＩＤ（Extended Display Identification）２３１などの仕様を、本実施の形態の車載マルチメディアシステム１０用に拡張して使用する。また、ＨＤＭＩ受信ブロック２２０側の車載マルチメディア入出力端末２０の表示モニタ２１にタッチして入力されたタッチパネル３６の制御信号は、双方向通信が行える制御専用信号ＣＥＣ（Consumer Electronics Control）２３２を拡張して対応する。
【００９４】
車載マルチメディア入出力端末２０のＩ／Ｆ部３１と携帯情報端末４０のＩ／Ｆ部５１に採用したＨＤＭＩインターフェースには、ＤＤＣ（Display Data channel）インターフェースを通じてディスプレイ情報（EDID：Extended Display Identification Data）を送信する機能がある。例えば、表示可能な画素数などのリソース情報を車載マルチメディア入出力端末２０が携帯情報端末４０に伝えることで、携帯情報端末４０は車載マルチメディア入出力端末２０のリソース情報に対応した最適なＡＶ信号を車載マルチメディア入出力端末２０に出力することができる。
【００９５】
携帯情報端末４０のＩ／Ｆ部５１は、ＨＤＭＩの送信側のコネクタである。マルチメディア入出力端末２０に接続することなく、ＨＤＭＩの受信側のコネクタを有する一般の機器に接続することもできる。例えば、携帯情報端末４０のビデオ映像をＨＤＭＩの受信側のコネクタを有する薄型ＴＶに接続して、その映像をテレビ画面に表示することができる。このような使い方ができるためにも、車載マルチメディア入出力端末２０のＩ／Ｆ部３１と携帯情報端末４０のＩ／Ｆ部５１とを接続するコネクタとして、現状のＨＤＭＩと互換性がある仕様にする。
【００９６】
以下、上述のように構成されたマルチメディアシステム１０の動作について説明する。
【００９７】
<「携帯モード」起動>
携帯情報端末をいずれのマルチメディア入出力端末にも接続せずに起動すると、「携帯モード」で起動される。
【００９８】
携帯情報端末用プログラム１１０のうち、「携帯モード」で最低限必要な部分のみ外部メモリ４５からメモリ部５８にロードされる。
【００９９】
具体的には、外部メモリ４５からメモリ部５８にロードされるプログラムは、簡易メール用プログラム１１１と簡易インターネット接続用プログラム１１３のみにし、簡易オーディオ用プログラム１１５や簡易カーナビ用プログラム１１７は選択された場合のみ外部メモリ４５からメモリ部５８にロードする。つまり「携帯モード」において表示モニタのメニューで選択された場合のみ、簡易オーディオ用プログラム１１５や簡易カーナビ用プログラム１１７も利用できるように外部メモリ４５からメモリ部５８にロードする。
【０１００】
簡易オーディオ用プログラム１１５や簡易カーナビ用プログラム１１７を格納するのに必要なメモリ容量はそれほど大きくないので、簡易プログラム全体を外部メモリ４５からメモリ部５８にロードする。しかし、簡易オーディオ用データ１１６は、保存している曲数が例えば１５００曲程度になるとメモリ容量が４ＧＢ程度になるので、お好みホルダーに入っている曲や最近アクセスされた曲のみ外部メモリ４５からメモリ部５８にロードする。また、簡易カーナビ用データ１１８も保存している簡易日本地図でも１ＧＢ程度になるので、ＧＰＳデータを有効に利用して、例えば、現在車両が存在する周囲５０ｋｍ程度の地図のみ外部メモリ４５からメモリ部５８にロードする。
【０１０１】
このようにして外部メモリ４５からメモリ部５８にロードする簡易オーディオ用データ１１６と簡易カーナビ用データ１１８は、最低限のメモリ容量のプログラムに限定する。
【０１０２】
<「カーナビモード」起動>
携帯情報端末を車載マルチメディア入出力端末に接続して起動すると、「カーナビモード」で起動される。
【０１０３】
車載マルチメディアシステム用プログラム１２０のうち、「カーナビモード」で最低限必要な部分のみ、外部メモリ４５からメモリ部５８にロードされる。メモリ部５８は、車載マルチメディアシステム用プログラム１２０のうち、「カーナビモード」で最低限必要な部分のみ、外部メモリ４５からメモリ部５８にロードする。例えば、外部メモリ４５からメモリ部５８にロードされるプログラムは、主要なプログラムであるカーナビゲーション用プログラム１２１である。さらに「カーナビモード」において表示モニタのメニューで選択された場合には、簡易インターネット接続用プログラム１２３や簡易オーディオ用プログラム１２５や簡易ビデオ用プログラム１２７も外部メモリ４５からメモリ部５８にロードする。
【０１０４】
<「ＡＶモード」起動>
携帯情報端末をＡＶ用マルチメディア入出力端末に接続して起動すると、「ＡＶモード」で起動される。
【０１０５】
ＡＶ用プログラム１３０の内、「ＡＶモード」で最低限必要な部分のみ、外部メモリ４５からメモリ部５８にロードされる。メモリ部５８は、ＡＶ用プログラム１３０のうち、「カーナビモード」で最低限必要な部分のみ、外部メモリ４５からメモリ部５８にロードする。例えば、外部メモリ４５からメモリ部５８にロードされるプログラムは、主要なプログラムであるオーディオ（音楽再生）用プログラム１３１とビデオ（ビデオ再生）用プログラム１３３である。さらに、「ＡＶモード」において表示モニタのメニューで選択された場合には、簡易インターネット接続用プログラム１３５も外部メモリ４５からメモリ部５８にロードする。
【０１０６】
<「ネットパソコンモード」起動>
携帯情報端末をネットパソコン用マルチメディア入出力端末に接続して起動すると、「ネットパソコンモード」で起動される。
【０１０７】
ネットパソコン用プログラム１４０の内、「ネットパソコンモード」で最低限必要な部分のみ、外部メモリ４５からメモリ部５８にロードされる。メモリ部５８は、ネットパソコン用プログラム１４０のうち、「ネットパソコンモード」で最低限必要な部分のみ、外部メモリ４５からメモリ部５８にロードする。例えば、外部メモリ４５からメモリ部５８にロードされるプログラムは、主要なプログラムであるインターネット接続用プログラム用プログラム１４１とメール用プログラム１４３と文書・図表作成用プログラム１４５とである。さらに、「ネットパソコンモード」において表示モニタのメニューで選択された場合には、簡易オーディオ接続用プログラム１４７や簡易ビデオ用プログラム１４９ａも外部メモリ４５からメモリ部５８にロードする。
【０１０８】
「ＡＶモード」で本格的に音楽を聴く以外に、「携帯モード」で携帯電話をオーディオプレーヤのように使用して音楽を聴いたり、「カーナビモード」でカーナビ操作を行いながら音楽を聴いたり、「ネットパソコンモード」で文書を作成しながら音楽を聴いたりする人も多い。これらのモードでも表示モニタのメニューで選択することにより、それぞれのモードにおいて簡易オーディプログラムを外部メモリ４５からメインメモリであるメモリ部５８にロードするようにする。
【０１０９】
但し、メモリ部５８のメモリ容量は限られているので、本発明のマルチメディアシステムが「カーナビモード」で起動されたとしても、車載マルチメディアシステム用プログラム１２０の内、外部メモリ４５からメモリ部５８にロードされるのは、動作上最低限の内容にとどめ、それ以外の内容は外部メモリ４５に残しておく。特に、「カーナビモード」における地図情報は容量が大きいので、日本全国の地図全部すべてをメモリ部５８にロードすることはできない。現在の動作に必要な最低限のデータのみ、外部メモリ４５からメモリ部５８にロードする。
【０１１０】
<各モード起動の適用例>
本実施の形態の車載マルチメディアシステム１０が、「ＡＶモード」で起動されたとしても、ＡＶ用プログラム１３０の内、外部メモリ４５からメモリ部５８にロードされるのは、動作上最低限の内容にとどめ、それ以外の内容は外部メモリ４５に残しておく。特に、「ＡＶモード」における音楽データやビデオデータは膨大なこともあるので、その場合すべてをメモリ部５８にロードすることはできない。選別基準を明確にして、現在の動作に必要な最低限のデータのみ、外部メモリ４５からメモリ部５８にロードする。但し、使用するデータがメモリ部５８に無かったとしても、外部メモリ４５は、ＨＤＤ又はＮＡＮＤフラッシュメモリで構成されているので、メモリ部５８にデータが格納されている場合と比較して極端にアクセス速度が遅くなることは無い。
【０１１１】
図３に示したように外部メモリ４５には携帯情報端末用プログラム１１０、車載マルチメディアシステム用プログラム１２０、ＡＶシステム用プログラム１３０、ネットパソコン用プログラム１４０が格納されている。例えば、簡易オーディオプログラムは、「携帯モード」「カーナビモード」「ネットパソコンモード」にも存在するが、簡易オーディオプログラム１１５と簡易オーディオプログラム１２５と簡易オーディオプログラム１４７を以下のような方針で設計し、それらの間の相違を少なくする。
【０１１２】
（１）簡易オーディオデータ１１６、簡易オーディオデータ１２６、簡易オーディオデータ１４８は同じデータを用いる。
【０１１３】
（２）簡易オーディオプログラム１１５、簡易オーディオプログラム１２５、簡易オーディオプログラム１４７間の相違はＵＩとその相違に伴うプログラムのみとする。
【０１１４】
このように簡易オーディオプログラム１１５、簡易オーディオプログラム１２５、簡易オーディオプログラム１４７を設計することにより、図３に示した外部メモリ４５は、図４（ａ）のように再構成することができる。
【０１１５】
次に、図４（ａ）を用いて外部メモリ１６０からメモリ部５８にロードすることが可能なプログラムを具体的に説明する。図４（ａ）中、太い矢印は主要なプログラムをロードすることを表し、細い矢印は簡易プログラムをロードすることを表している。
【０１１６】
本実施の形態のマルチメディアシステム１０が、「携帯モード」で起動するときには、携帯情報端末用プログラム１５１として外部メモリ１６０からメモリ部５８に簡易メールプログラム１６２と簡易インターネット接続用プログラム１６４と簡易オーディオ用プログラム１６６と簡易カーナビ用プログラム１７２をロードする。
【０１１７】
本実施の形態のマルチメディアシステム１０が、「カーナビモード」で起動するときには、車載マルチメディアシステム用プログラム１５２として外部メモリ１６０からメモリ部５８に簡易インターネット接続用プログラム１６４と簡易オーディオ用プログラム１６６と簡易ビデオ用プログラム１６８とカーナビ用プログラム１７３をロードする。
【０１１８】
本実施の形態のマルチメディアシステム１０が、「ＡＶモード」で動作するときには、ＡＶシステム用プログラム１５３として外部メモリ１６０からメモリ部５８に簡易インターネット接続用プログラム１６４とオーディオ用プログラム１６７とビデオ用プログラム１６９をロードする。
【０１１９】
本実施の形態のマルチメディアシステム１０が、「ネットパソコンモード」で起動するときには、ネットパソコン用プログラム１５４として外部メモリ１６０からメモリ部５８にメール用プログラム１６３とインターネット接続用プログラム１６５と文書・図表作成用プログラム１７１と簡易オーディオ用プログラム１６６と簡易ビデオ用プログラム１６８をロードする。
【０１２０】
簡易オーディオ用プログラム１６６は「携帯モード」と「カーナビモード」と「ネットパソコンモード」で動作する場合でも、外部メモリ１６０からメモリ部５８にロードされるが、それぞれ表示モニタの大きさが異なるため、異なったＵＩを表示する。その違いのデータを図４（ｂ）に示す。
【０１２１】
図４（ｂ）は、「携帯モード」と「カーナビモード」と「ネットパソコンモード」の異なったＵＩのデータを示す図である。
【０１２２】
図４（ｂ）において、番号１７５のＵＩ(1)には、「携帯モード」用のＵＩ画面用のデータとその相違に伴うプログラムが、番号１７６のＵＩ(2)には「カーナビモード」用のＵＩ画面用のデータとその相違に伴うプログラムが、番号１７７のＵＩ(3)には「ネットパソコンモード」用のＵＩ画面用のデータが格納されている。また、番号１７８のＵＩ(3)(4)には「ＡＶモード」用のＵＩ画面用のデータとその相違に伴うプログラムが格納されている。
【０１２３】
簡易オーディオ用プログラム１６６はオーディオ用プログラム１６７の一部を構成している。番号１７５のＵＩ(1)、番号１７６のＵＩ(2)、番号１７７のＵＩ(3)は簡易オーディオ用プログラム１６６の一部を構成し、１７８のＵＩさん(4)はオーディオ用プログラム１６７の一部を構成している。簡易オーディオ用プログラム１６６の番号１７５のＵＩ(1)、番号１７６のＵＩ(2)、番号１７７のＵＩ(3)以外の部分は、簡易オーディオ用プログラム１６６にも内蔵されている、音の強弱の調整機能や音楽の進行制御などの音楽再生のための主要な機能のプログラムである。また、オーディオ用プログラム１６７の簡易オーディオ用プログラム１６６と番号１７７のＵＩ(3)以外の部分には、イコライザー機能や音場制御などの高音質な音楽再生のための機能のプログラムが内蔵されている。オーディオ用プログラム１６７と簡易オーディオ用プログラム１６６とは、それぞれオーディオ用データと簡易オーディオ用データを持っているが、ここでは共通に１つのデータを持つものとする。但し、図４（ａ）（ｂ）においては、オーディオ用データと簡易オーディオ用データの図示を省略している。ビデオ用データと簡易ビデオ用データなどに関しても同様に図示していない。
【０１２４】
簡易オーディオ用プログラム１６６は、「携帯モード」と「カーナビモード」と「ネットパソコンモード」で動作する場合でも、外部メモリ１６０からメモリ部５８にロードされるが、それぞれ表示モニタの大きさが異なるため異なったＵＩを表示する。その違いのデータを図５に示す。
【０１２５】
図５は、簡易オーディオプログラム１１５、簡易オーディオプログラム１２５、簡易オーディオプログラム１４７の場合のＵＩ画面の相違を示す図である。
【０１２６】
図５（ａ）は、「携帯モード」において簡易オーディオプログラム１１５を起動した場合のＵＩ画面４０１を示し、図５（ｂ）は、「カーナビモード」において簡易オーディオプログラム１２５を起動した場合のＵＩ画面４０２を示し、図５（ｃ）は、「ネットパソコンモード」においてメール用プログラム１４３を起動した場合のＵＩ画面４０３を示している。
【０１２７】
参考までに図６に簡易メール用プログラム１１１とメール用プログラム１４３の場合のＵＩ画面の相違を示す。
【０１２８】
簡易メール用プログラム１１１は「携帯モード」で動作し、メール用プログラム１４３は「ネットパソコンモード」で動作する場合の例を示している。
【０１２９】
図６（ａ）の番号４１１は「携帯モード」において簡易メール用プログラム１１１を起動した場合のＵＩ画面を示し、図６（ｂ）の番号４１２は「ネットパソコンモード」においてメール用プログラム１４３を起動した場合のＵＩ画面を示している。
【０１３０】
メール用プログラム１６３のメールボックスの画面において、受信トレイと送信トレイが表示されている。受信トレイには「受信」「下書き」「送信済み」「ゴミ箱」のメニューがあり、「受信」のメニューを選択すると、受信しているメールの内容が画面の右半分の「受信メール」の欄に表示される。
【０１３１】
このように、各モード間でプログラムを使いまわすことで、データの重複をなくし、外部メモリ４５に格納されるプログラムとデータのメモリ容量を低減する、例えば１００ＧＢ以下にすることが可能である。
【０１３２】
次に、本実施の形態の車載マルチメディアシステム１０の「カーナビモード」動作の詳細について説明する。
【０１３３】
携帯情報端末用信号処理部５０のＣＰＵ５３が、携帯情報端末４０を「カーナビモード」で起動すると、ＣＰＵ５３は、外部メモリ４５（図３参照）に保存されている車載マルチメディア端末用プログラム１１０を、外部メモリ４５からメモリ部５８にロードする。但し、カーナビゲーション用の地図のデータに関しては、日本国中の地図のデータは大容量であるため、例えば、ＧＰＳを利用して現在位置を測位し、現在位置から周囲５０ｋｍ程度のデータのみ外部メモリ４５からメモリ部５８に保存する。このようプログラムすることにより、メモリ部５８のメモリ容量を節約しながら、違和感のない「カーナビモード」を実現することができる。
【０１３４】
ＣＰＵ５３が、携帯情報端末用信号処理部５０の各機能ブロックであるナビゲーション機能部５５とインターネット接続部５６とＡＶデータ記録、再生機能部５７とメモリ部５８と、携帯情報端末４０のＧＰＳアンテナ４１と、携帯情報端末用アンテナ４２を「カーナビモード」で起動すると、車載マルチメディア入出力端末２０の表示モニタ２１に図７ａのようなメニューが表示される。
【０１３５】
図７（ａ）は、車載マルチメディアシステム１０が「カーナビモード」で起動された場合に、車載マルチメディア入出力端末２０の表示モニタ２１に表示されるメニューの一例を示す図である。
【０１３６】
車載マルチメディアシステム１０が「カーナビモード」で起動されたことを示すため、この画面のトップに「車載マルチメディアシステム」１８１のタイトルが表示される。
【０１３７】
ここでは「ナビゲーション」１８２、「インターネット接続」１８３、「オーディオ（音楽再生）」１８４、「ビデオ（ビデオ再生）」１８５以外に、オプション機能である、車両のバックをモニタする「リアビューカメラ」１８６の機能に車載マルチメディア入出力端末２０が対応している場合を示している。カーナビを操作する人は、「ナビゲーション」１８２、「インターネット接続」１８３、「オーディオ（音楽再生）」１８４、「ビデオ（ビデオ再生）」１８５、「リアビューカメラ」１８６の機能メニューからタッチパネル３６により、利用したい機能を選択する。図７（ｂ）は、図７（ａ）において「ナビゲーション」１８２を選択した時に車載マルチメディア入出力端末２０の表示モニタ２１に表示される画面である。
【０１３８】
この「ナビゲーション  目的地検索」１９１の画面を利用して目的地検索の方法を「名称」１９２、「住所」１９３、「主要施設」１９４、「登録ポイント」１９５の中から、タッチパネル３６により選択する。
【０１３９】
「ナビゲーション」と「オーディオ（音楽再生）」の機能を同時に楽しみたい人は、「戻る」のポインタ１９６をクリックして、一旦図７ａのトップ画面に戻り、「オーディオ（音楽再生）」１８４をクリックして、操作を続ける。
【０１４０】
本実施の形態の車載マルチメディアシステム１０を「カーナビモード」で起動していても、車両に乗っている人が音楽を聞きたい場合もある。本実施の形態では、以下の対策を採る。すなわち、起動時に車載マルチメディアシステム用プログラム１２０のカーナビゲーション用プログラム１２１のみ外部メモリ部４５からメモリ部５８にロードしている場合であっても、表示モニタ２１のメニューから選択することにより簡易オーディオプログラム１２５を、追加して外部メモリ４５からメモリ部５８にロード可能にする。この場合、一部の曲のみが外部メモリ４５からメモリ部５８にロードされる。一部の曲の選別の仕方としていくつかの方法が存在する。例えば、お好みホルダーに入った曲や最近アクセスしたアルバムの曲にする方法などがある。メモリ部５８にロードされていない曲を選別した場合、その曲のデータを外部メモリ４５からロードする。
【０１４１】
以上説明したように「カーナビモード」において、さらに簡易な「オーディオ（音楽再生）」の機能を立ち上げたいときには、一旦図７（ａ）のトップ画面に戻り、「オーディオ（音楽再生）」１８４をクリックして操作を続ける仕様にする。こうすることにより、携帯情報端末用信号処理部５０のＣＰＵ５３は、「カーナビモード」において外部メモリ部４５からメモリ部５８にロードしている現状のメモリ容量がいくらあり、簡易な「オーディオ（音楽再生）」の機能を立ち上げるのにどの位メモリ部５８のメモリ容量を必要になるかを演算する。
【０１４２】
ここで、(1)「カーナビモード」において外部メモリ部４５からメモリ部５８にロードしている現状のメモリ容量＋(2)簡易な「オーディオ（音楽再生）」の機能を立ち上げるのに必要なメモリ容量が(3)メモリ部５８のメモリ容量より大きい場合は、外部メモリ４５からメモリ部５８にロードしているカーナビゲーション用の地図のデータのデータ量を削減する。
【０１４３】
例えば、「カーナビモード」単独で動作している場合は、ＧＰＳを利用して現在位置を測位し、現在位置から周囲５０ｋｍのデータの地図を外部メモリ４５からメモリ部５８にロードしている。このとき、現在位置から周囲３０ｋｍのデータの地図のみ保存し、それ以外の地図データを開放する。こうすることにより、簡易な「オーディオ（音楽再生）」の機能を立ち上げるのに必要なメモリ部５８のメモリ容量を確保する。
【０１４４】
また、本発明のカーナビの地図は、表示する地図の倍率により精度の異なる地図のレイヤを持っている。カーナビゲーション用プログラムではすべての倍率のレイヤの地図と全ての機能のプログラムを用いるが、簡易カーナビ用プログラムでは低倍率のレイヤの地図と限られた機能のプログラムのみ用いる。つまり、「携帯モード」では限定された機能のみでカーナビ機能を実現している。具体的に説明する。
【０１４５】
「携帯モード」では、位置特定機能、経路探索機能、経路案内機能、地図表示機能などの、カーナビ本来の機能のみに限定している。
【０１４６】
一方、「カーナビモード」においては、「携帯モード」における機能のほかに、拡張機能である「上空位置に視点を置いて表示する鳥瞰図機能」「主要な交差点やインターチェンジ付近を擬似３次元や実映像を表示する機能」などの機能を装備している。
【０１４７】
外部メモリ４５には、一つのカーナビの地図しかないが、「カーナビモード」と「携帯モード」ではメモリ部５８にロードするカーナビの地図を変えることもできる。カーナビゲーション用プログラムでは、すべての倍率のレイヤの地図をメモリ部にロードする一方、簡易カーナビ用プログラムでは低倍率のレイヤの地図のみメモリ部にロードする。
【０１４８】
さらに、例えば、現在車両が存在する周囲５０ｋｍ程度の地図のみ外部メモリ４５からメモリ部５８にロードする。このようにして外部メモリ４５からメモリ部５８にロードする簡易オーディオ用データ１１６と簡易カーナビ用データ１１８を現時点の動作に必要なデータに限定する。
【０１４９】
また、「カーナビモード」と「携帯モード」において、それぞれの表示ディスプレイのサイズにあった倍率のレイヤの地図を用いるようにプログラムを作成することが見やすいカーナビの地図画面として重要である。
【０１５０】
図１０（ａ）は、「携帯モード」において簡易カーナビ機能を使用した場合に携帯情報端末４０の表示モニタ４３に表示されるカーナビ画面の一例を示す図である。
【０１５１】
図１０（ａ）に示すように、携帯情報端末用プログラム１１０の簡易カーナビ用プログラム１１７を外部メモリ４５からメモリ部５８にロードし、携帯情報端末を「携帯モード」で動作させながらカーナビ機能を活用することも可能である。このカーナビ画面は、携帯情報端末４０の表示モニタ４３が３．５インチ程度であり、使用するカーナビ用のプログラムも簡易カーナビ用プログラム１１７であるため、簡単な地図しか表示できない。
【０１５２】
それに対して、図１０（ｂ）は、車載マルチメディアシステムを「カーナビモード」において、カーナビ機能を使用した場合に、車載マルチメディア入出力端末２０の表示モニタ２１に表示されるカーナビ画面である。図１０（ｃ）は、「カーナビモード」においてさらに簡易オーディオ用プログラムを稼働している場合である。番号２３４は曲の進行を制御する表示である。
【０１５３】
この場合は、車載マルチメディアシステム用プログラム１２０のカーナビゲーション用プログラム１２１を外部メモリ４５からメモリ部５８にロードし、車載マルチメディアシステム１０を「カーナビモード」で動作させている。このカーナビ画面は、車載マルチメディア入出力端末２０の表示モニタ２１が７インチ程度であり、使用するカーナビ用のプログラムもカーナビゲーション用プログラム１２１であるため、比較的詳細な地図や制御記号などを表示することができる。
【０１５４】
両者の相違は単に携帯情報端末４０の表示モニタ４３が３．５インチ程度であり、車載マルチメディア入出力端末２０の表示モニタ２１が７インチ程度であることだけではない。車載マルチメディア入出力端末２０にどのような機器のどのようなスペックのものが装備されているかとのリソース情報を車載マルチメディア入出力端末２０のＣＰＵ３３が携帯情報端末４０のＣＰＵ５３に知らせ、携帯情報端末４０のＣＰＵ５３がこのリソース情報に基づき、携帯情報端末４０の車載マルチメディアシステム用プログラム１２０のカーナビゲーション用プログラム１２１を外部メモリ４５からメモリ部５８にロードし、車載マルチメディアシステム１０を「カーナビモード」で動作させているからである。つまり、「携帯モード」では限定された機能のみでカーナビ機能を実現している。
【０１５５】
以上、車載マルチメディアシステム１０の機能について、必須機能としての表示モニタとオーディオについて説明した。
【０１５６】
以上詳細に説明したように、本実施の形態によれば、マルチメディアシステム１０は、他からのリソース情報をもとにプログラムを起動することによりマルチメディア機器として機能する携帯情報端末４０と、携帯情報端末４０にリソース情報を供給し、かつ携帯情報端末４０からのデータを出力するマルチメディア入出力端末２０と、を備える。携帯情報端末４０は、複数のプログラムを格納する外部メモリ４５と、外部端末と接続するＨＤＭＩ規格Ｉ／Ｆ部５１と、ＨＤＭＩ規格Ｉ／Ｆ部５１を介して読み取ったリソース情報に基づき、外部メモリ４５からプログラムを読み出し、読み出したプログラムを格納するメモリ部５８と、メモリ部５８に格納されたプログラムを実行するＣＰＵ５３と、を備える。ＣＰＵ５３は、外部メモリ４５に格納された複数のプログラムのうち、各プログラム間で同一の機能プログラムについては共有して使用する。
【０１５７】
これにより、複数のプログラム間でプログラム実行に際し必要となる機能を共通にできるため、従来、複数機種を用いて実現していた機能を１つの携帯端末、又は、１つの携帯端末と外部端末で実現でき、複数の機能をより安価に手に入れることが可能である。
【０１５８】
また、ユーザが必要とする機能を実現するためのプログラムが入ったハードを別々に保有しなければならなかったものが、１つの携帯端末、又は、１つの携帯端末と外部端末で実現できるため利便性向上につながる。
【０１５９】
また、携帯端末購入時に必要としたプログラムのほかに、その後、ユーザがほしいと思った機能については、携帯端末にインターネットからダウンロードすることで追加で入手することが可能になる。
【０１６０】
このように、本実施の形態では、携帯情報端末４０を購入すれば、安価なマルチメディア入出力端末２０を購入するだけで、さまざまな機能を享受することができる。
【０１６１】
（実施の形態２）
実施の形態２は、実施の形態１に、オプション機能のリアビューカメラ機能を追加する例である。
【０１６２】
図１１は、本発明の実施の形態２に係るマルチメディアシステムの構成を示すブロック図である。図１と同一構成部分には、同一番号を重複箇所の説明を省略する。
【０１６３】
図１１に示すように、車載マルチメディアシステム１００は、車載マルチメディア入出力端末２０に対してリアビューカメラ１０１が追加され、車載マルチメディア入出力端末用信号処理部３０にビデオ入力部１０２が追加される。
【０１６４】
「リアビューカメラ１０１」のリソース情報を追加して記録するためには、以下のような操作により車載マルチメディア入出力端末２０のＣＰＵ３３の内部メモリ３４の不揮発性メモリ部に追加されるリアビューカメラのリソース情報を書き込む。追加することができる機器は、前記〔表１〕のようにメニューにリストアップされている、携帯情報端末４０が対応可能な機器に限定される。
【０１６５】
車載マルチメディア入出力端末２０の電源を単独で「オン」すると、ＣＰＵ３３はその内部メモリ３４のブートプログラムが走り、表示モニタ２１に内部メモリ３４の必須機能である表示モニタ、オーディオとオプション機能のリアビューカメラ機能、リアシートでのＳＤでビデオ視聴機能などの機能一覧表が表示される。
【０１６６】
車載マルチメディア入出力端末２０にリソースを追加する場合、ユーザは、タッチパネル３６を使用して今回追加したリアビューカメラ機能をタッチしてＣＰＵ３３の内部メモリ３４の不揮発性メモリ部に追加したリソース情報を入力する。
【０１６７】
車載マルチメディア入出力端末２０のＩ／Ｆ部３１と携帯情報端末４０のＩ／Ｆ部５１とは、コネクタ７０で接続されている。このＩ／Ｆ信号の中に電源電位のラインとグランド電位のラインが含まれているので、携帯情報端末４０の携帯情報端末用信号処理部５０の電源電位、グランド電位はこれから供給される。
【０１６８】
車載マルチメディア入出力端末２０のＣＰＵ３３がその内部メモリ３４の不揮発性メモリ部に記録されている必須機能、オプション機能の内容であるリソース情報を読み出す。その後、車載マルチメディア入出力端末２０のＣＰＵ３３は、そのリソース情報を携帯情報端末用信号処理部５０のＣＰＵ５３の内部メモリ５４に、携帯情報端末４０が単独で動作する「携帯モード」ではなく、車載マルチメディア入出力端末２０と連携して動作する「カーナビモード」に変更になっているとの情報と共にＩ／Ｆ部３１とＩ／Ｆ部５１経由で書き込む。
【０１６９】
携帯情報端末用信号処理部５０のＣＰＵ５３は、この過程で、今回リアビューカメラ機能が追加されていることを検出し、これらの情報をもとに携帯情報端末用信号処理部５０の各機能ブロックであるナビゲーション機能部５５とインターネット接続部５６とＡＶデータ記録、再生機能部５７とメモリ部５８と、携帯情報端末４０のＧＰＳアンテナ４１と、携帯情報端末用アンテナ４２と、外部メモリ４５とを共にリアビューカメラ機能が追加された「カーナビモード」として起動する。
【０１７０】
（実施の形態３）
実施の形態３は、実施の形態１の変形例である。
【０１７１】
実施の形態１は、車載マルチメディア入出力端末２０にＣＰＵ３３を内蔵して、ＣＰＵ３３が、内部メモリ３４に車載マルチメディア入出力端末２０が装備するリソース情報を書き込む。しかし、車載マルチメディア入出力端末２０を低価格に設計するために、実施の形態３では、車載マルチメディア入出力端末２０にＣＰＵを内蔵しない。
【０１７２】
図１２は、本発明の実施の形態３に係るマルチメディアシステムの構成を示すブロック図である。図１と同一構成部分には、同一番号を重複箇所の説明を省略する。
【０１７３】
車載マルチメディアシステム５１０は、車載マルチメディア入出力端末５２０と、携帯情報端末４０とから構成される。
【０１７４】
車載マルチメディア入出力端末５２０は、表示モニタ５２１とスピーカ５２２とバッテリ５２３と電源回路５２４と車載マルチメディア入出力端末用信号処理部５３０とで構成されており、車載マルチメディア入出力端末用信号処理部５３０は、さらに、Ｉ／Ｆ部５３１と内部バス５３２と書き換え可能な不揮発性メモリで構成された内部メモリ５３４と表示モニタ制御部５３５とタッチパネル５３６とオーディオ出力部５３７とバッテリ制御部５３８で構成されている。
【０１７５】
携帯情報端末４０は、Ｉ／Ｆ部５１の機能が少し異なる。
【０１７６】
車載マルチメディアシステム５１０は、ＥＤＩＤ（Ｅｘｔｅｎｅｄ  Ｄｉｓｐｌａｙ  Ｉｄｅｎｔｉｆｉｃａｔｉｏｎ  Ｄａｔａ）とＤＤＣと呼ぶ２つの技術によりプラグ・アンド・プレイを実現している。例えば、車載マルチメディア入出力端末５２０と携帯情報端末４０を繋いで、携帯情報端末４０のＣＰＵ５３が出力する映像信号を車載マルチメディア入出力端末５２０の表示モニタ５２１で表示する場合、携帯情報端末４０のＣＰＵ５３が出力する映像信号を車載マルチメディア入出力端末５２０の表示モニタ５２１が対応する「周波数」「解像度」にする必要がある。このために、車載マルチメディア入出力端末５２０の表示モニタ５２１が対応する「周波数」「解像度」などの情報を車載マルチメディア入出力端末５２０のリソース情報として車載マルチメディア入出力端末５２０の内部メモリ５３４にあらかじめ書き込む必要がある。
【０１７７】
車載マルチメディア入出力端末５２０と携帯情報端末４０とが接続した状態で起動されると、携帯情報端末４０のＣＰＵ５３は、書き込まれた車載マルチメディア入出力端末５２０のリソース情報であるＥＤＩＤをＨＤＭＩインターフェースのＤＤＣ機能を用いて読み出す。以下にもう少し具体的に説明する。
【０１７８】
<ＥＤＩＤデータの書き込みモード>
購入時に車載マルチメディア入出力端末５２０のリソース情報が内部メモリ５３４の不揮発性メモリ部に記録されているためには、車載マルチメディア入出力端末５２０を販売する前に、以下のような処理をして、車載マルチメディア入出力端末５２０の内部メモリ５３４の不揮発性メモリ部に車載マルチメディア入出力端末５２０リソース情報を書き込む必要がある。
【０１７９】
車載マルチメディア入出力端末５２０のリソース情報は、ＥＤＩＤであり、書き込むアドレスやデータ形式は規格で決められている。この規格でカバーできない内容に関しては拡張規格を検討する。具体的には、以下のように行う。
【０１８０】
まず、携帯情報端末４０を用いて車載マルチメディア入出力端末５２０の内部メモリ５３４の不揮発性メモリ部にリソース情報を書き込むため、車載マルチメディア入出力端末５２０と携帯情報端末４０をコネクタで接続した状態にする。その後、携帯情報端末４０のＣＰＵ５３が、Ｉ／Ｆ部５１とＩ／Ｆ部５３１経由で、リソース情報をＨＤＭＩインターフェースのＤＤＣ機能を用いて車載マルチメディア入出力端末５２０の内部メモリ５３４の不揮発性メモリ部に書き込む。
【０１８１】
次に、車載マルチメディア入出力端末５２０は、車載マルチメディア入出力端末５２０の電源回路５２４を携帯情報端末４０と接続した状態で「オン」すると、携帯情報端末４０のＣＰＵ５３では、その内部メモリ５４のブートプログラムが走る。Ｉ／Ｆ部５１とＩ／Ｆ部５３１経由で、携帯情報端末４０のＣＰＵ５３の内部メモリ５４に書き込まれた車載マルチメディア入出力端末５２０のリソース情報をＨＤＭＩインターフェースのＤＤＣ機能を活用してＳＤＡ、ＳＣＬ端子を用いて車載マルチメディア入出力端末５２０の内部メモリ５３４の不揮発性メモリ部に書き込む。
【０１８２】
<ＥＤＩＤデータの読み出しモード>
車載マルチメディア入出力端末５２０の内部メモリ５３４の不揮発性メモリ部に書き込まれたリソース情報を読み出す場合は以下のように行う。
【０１８３】
車載マルチメディア入出力端末５２０は、車載マルチメディア入出力端末５２０の電源回路５２４を携帯情報端末４０と接続した状態で「オン」すると、携帯情報端末４０のＣＰＵ５３は、内部メモリ５４のブートプログラムが走る。これにより、Ｉ／Ｆ部５１とＩ／Ｆ部５３１経由で、車載マルチメディア入出力端末５２０の内部メモリ５３４の不揮発性メモリ部に書き込まれたリソース情報が、ＨＤＭＩインターフェースのＤＤＣ機能を活用してＳＤＡ、ＳＣＬ端子を用いて読み出され、携帯情報端末４０のＣＰＵ５３の内部メモリ５４に書き込まれる。
【０１８４】
車載マルチメディア入出力端末５２０のリソース情報は、ＥＤＩＤ（Ｅｘｔｅｎｅｄ  Ｄｉｓｐｌａｙ  Ｉｄｅｎｔｉｆｉｃａｔｉｏｎ  Ｄａｔａ）であり、書き込むアドレスやデータ形式は規格で決められている。なお、この規格でカバーできない内容に関しては拡張規格を検討する必要がある。
【０１８５】
その後、携帯情報端末用信号処理部５０のＣＰＵ５３は、これらの情報をもとに携帯情報端末用信号処理部５０の各機能ブロックであるナビゲーション機能部５５とインターネット接続部５６とＡＶデータ記録、再生機能部５７とメモリ部５８と、携帯情報端末４０のＧＰＳアンテナ４１と、携帯情報端末用アンテナ４２と、外部メモリ４５とを共に「カーナビモード」で起動する。この後の動作は、実施の形態１で説明した内容と同様なため省略する。
【０１８６】
以上、実施の形態１乃至３では、本発明のマルチメディアシステムを、車載マルチメディアシステムに適用した例について説明した。
【０１８７】
次に、本発明のマルチメディアシステムを、ネットパソコン向けマルチメディアシステムに適用する例を実施の形態４により説明する。
【０１８８】
（実施の形態４）
図１３は、本発明の実施の形態４に係るマルチメディアシステムの構成を示すブロック図である。実施の形態４は、本発明のマルチメディアシステムを、ネットパソコン向けマルチメディアシステムに適用した例である。ネットパソコン向けマルチメディアシステムとは、マルチメディア入出力端末がネットパソコン向けマルチメディア入出力端末である場合をいう。図１と同一構成部分には、同一番号を重複箇所の説明を省略する。
【０１８９】
図１３に示すように、ネットパソコン向けマルチメディアシステム３１０は、ネットパソコン向けマルチメディア入出力端末３２０と、携帯情報端末４０とから構成される。
【０１９０】
ネットパソコン向けマルチメディア入出力端末３２０は、表示モニタ３２１、スピーカ３２２、バッテリ３２３、電源回路３２４、キーボード／マウス３２５、及びネットパソコン向けマルチメディア入出力端末用信号処理部３３０を備える。
【０１９１】
ネットパソコン向けマルチメディア入出力端末用信号処理部３３０は、Ｉ／Ｆ部３３１、内部バス３３２、ＣＰＵ３３３、内部メモリ３３４、表示モニタ制御部３３５、タッチパネル３３６、オーディオ出力部３３７、バッテリ制御部３３８、及びキーボード／マウス制御部３３９を備える。
【０１９２】
携帯情報端末４０は、ＧＰＳアンテナ４１、携帯情報端末用アンテナ４２、表示モニタ４３、スピーカ４４、外部メモリ４５、バッテリ４６、及び携帯情報端末用信号処理部５０を備える。
【０１９３】
携帯情報端末用信号処理部５０は、Ｉ／Ｆ部５１、内部バス５２、ＣＰＵ５３、内部メモリ５４、ナビゲーション機能部５５、インターネット接続部５６、ＡＶデータ記録・再生機能部５７、メモリ部５８、表示モニタ制御部６０、オーディオ出力部６１、外部メモリコントローラ６２、及びバッテリ制御部６３を備える。
【０１９４】
ネットパソコン向けマルチメディア入出力端末３２０のＩ／Ｆ部３３１と携帯情報端末４０のＩ／Ｆ部５１とは、コネクタ３７０により接続されている。
【０１９５】
図１４は、ネットパソコン向けマルチメディアシステム３５０の構成を模式的に示す図である。
【０１９６】
図１４に示すように、ネットパソコン向けマルチメディアシステム３５０は、ネットパソコン向けマルチメディア入出力端末３５１と、携帯情報端末３５２とから構成される。
【０１９７】
ネットパソコン向けマルチメディア入出力端末３５１は、表示モニタ３５３と、キーボード部と一体になったネットパソコン向けマルチメディア入出力端末の筐体３５４とを備える。
【０１９８】
ネットパソコン向けマルチメディア入出力端末３５１と携帯情報端末３５２は、共に電源がオフの状態で分離されている（図１４（ａ）参照）。
【０１９９】
通常、ネットパソコン向けマルチメディア入出力端末３５１は、家の机の上などに置かれている。一方、携帯情報端末３５２は、所有者が携帯電話として持ち歩いている。
【０２００】
携帯情報端末３５２は、「携帯モード」「カーナビモード」「ＡＶモード」「ネットパソコンモード」の４つのモードで動作するように構成されている。この場合、携帯情報端末３５２は、ネットパソコン向けマルチメディア入出力端末３５１に接続されていないので、既定モードである「携帯モード」で動作している。
【０２０１】
携帯情報端末３５２の所有者は、帰宅後、ネットパソコン向けマルチメディア入出力端末３５１の筐体３５４をひっくり返す（図１４（ｂ）参照）。
【０２０２】
携帯情報端末３５２の所有者は、ネットパソコン向けマルチメディアシステム３５０を使用する場合、ネットパソコン向けマルチメディアシステム３５０の裏面３６０にある携帯情報端末の収納ボックス３６１のつまみ３６２を使用して、携帯情報端末の収納ボックス３６１のフタを開ける。
【０２０３】
携帯情報端末３５２の所有者は、ネットパソコン向けマルチメディアシステム３５０を使用すべく、ネットパソコン向けマルチメディアシステム３５０の裏面３６０にある携帯情報端末の収納ボックス３６１つのつまみ３６２を使用して、携帯情報端末の収納ボックス３６１つのフタを開ける。ネットパソコン向けマルチメディアシステムの裏面３６０にある収納ボックス３６１つの中のコネクター（図示せず）に携帯情報端末３５２を装着し、収納ボックス３６１つのフタを閉じる。
【０２０４】
その後、ネットパソコン向けマルチメディア入出力端末３５１つの電源（図示せず）を「オン」し、図１１のネットパソコン向けマルチメディアシステム３１０に電圧が供給され、表示モニタ３２１と、スピーカ３２２と、キーボード／マウス３２５とネットパソコン向けマルチメディア入出力端末用信号処理部３３０が動作し始める。
【０２０５】
ネットパソコン向けマルチメディア入出力端末３２０の最小限ハードウェア構成は、ネットパソコン向けマルチメディア入出力端末用信号処理部３３０以外には、表示モニタ３２１と、スピーカ３２２と、キーボード／マウス３２５だけである。
【０２０６】
ネットパソコン向けマルチメディア入出力端末３２０は、ネットパソコン機能以外にＡＶ機能を備える。この場合、音楽はスピーカ３２２で聴くし、ビデオ映像は表示モニタ３２１とスピーカ３２２で視聴する。
【０２０７】
ネットパソコン向けマルチメディア入出力端末３２０は、ＣＰＵ３３３の内部メモリ３３４の不揮発性メモリ部にリソース情報を記憶する。
【０２０８】
ＣＰＵ３３の内部メモリ３３４の不揮発性メモリ部には、以下の処理をして、ネットパソコン向けマルチメディア入出力端末３２０のリソース情報を書き込む。
【０２０９】
ネットパソコン向けマルチメディア入出力端末３２０の電源を単独で「オン」すると、ＣＰＵ３３３はその内部メモリ３３４のブートプログラム（図示せず）が走り、表示モニタ３２１に必須機能である表示モニタ、オーディオとオプション機能のリアビューカメラ機能、リアシートでのＳＤビデオ視聴機能などの機能一覧表を表示する。タッチパネル３６を使用して、ネットパソコン向けマルチメディア入出力端末３２０が具備している機能にタッチして、ＣＰＵ３３の内部メモリ３４の不揮発性メモリ部にリソース情報を入力する。
【０２１０】
ネットパソコン向けマルチメディア入出力端末３２０の電源回路３２４には、コンセントから電源が供給されている。この電源はバッテリ３２３に供給され、これを充電するとともにバッテリ制御回路３３８を経由してＩ／Ｆ３３１に接続されている。電源回路３２４を「オン」すると、まず、ＣＰＵ３３３がその内部メモリ３３４の不揮発性メモリ部に記録されている必須機能、オプション機能の内容であるリソース情報を読み出す。
【０２１１】
ネットパソコン向けマルチメディア入出力端末３２０のＩ／Ｆ部３３１と携帯情報端末４０のＩ／Ｆ部５１とは、コネクタ３７０で接続されている。このＩ／Ｆ信号の中に電源電位のライン、グランド電位のラインが含まれているので、携帯情報端末４０の携帯情報端末用信号処理部５０の電源電位、グランド電位はこれから供給される。なお、携帯情報端末用信号処理部５０以外のブロックであるＧＰＳアンテナ４１と、携帯情報端末用アンテナ４２と、表示モニタ４３と、スピーカ４４と、外部メモリ４５などの消費電力は多少大きいが、これらの電源電位、グランド電位も、Ｉ／Ｆ部３３１とＩ／Ｆ部５１から内部バス５２、バッテリ制御部６３経由でバッテリ４６に充電された電力をもとに供給される。
【０２１２】
〔携帯情報端末４０における各モード起動〕
ネットパソコン向けマルチメディア入出力端末３２０のＣＰＵ３３は、内部メモリ３４の不揮発性メモリ部に記録されている前記必須機能、及び前記オプション機能の内容であるリソース情報を読み出す。
【０２１３】
その後、ネットパソコン向けマルチメディア入出力端末３２０のＣＰＵ３３は、Ｉ／Ｆ部３１及び携帯情報端末４０のＩ／Ｆ部５１を経由して、携帯情報端末用信号処理部５０のＣＰＵ５３の内部メモリ５４に、ネットパソコン向けマルチメディア入出力端末３２０のリソース情報を書き込む。
【０２１４】
携帯情報端末用信号処理部５０のＣＰＵ５３は、リソース情報及び動作モード切替情報基づいて、携帯情報端末用信号処理部５０の各機能ブロックであるナビゲーション機能部５５と、インターネット接続部５６と、ＡＶデータ記録・再生機能部５７と、メモリ部５８と、携帯情報端末４０のＧＰＳアンテナ４１と、携帯情報端末用アンテナ４２と、外部メモリ４５とを共に「ネットパソコンモード」で起動する。
【０２１５】
「ネットパソコンモード」においては、携帯情報端末４０の表示モニタ４３と、スピーカ４４への電気的な接続は解除され、これらのリソースに代わってネットパソコン向けマルチメディア入出力端末３２０の表示モニタ３２１とスピーカ３２２とが使用される。
【０２１６】
この場合、低消費電力化のために携帯情報端末用信号処理部５０の表示モニタ制御部６０と、オーディオ出力部６１つのブロックの電源を遮断するように設計する。
【０２１７】
携帯情報端末用信号処理部５０のＣＰＵ５３が携帯情報端末４０を「ネットパソコンモード」で起動すると、ＣＰＵ５３は図３の外部メモリ４５に保存されているネットパソコン用プログラム１４０を、外部メモリ４５からメモリ部５８にロードする。
【０２１８】
携帯情報端末用信号処理部５０のＣＰＵ５３は、携帯端末用信号処理部５０の各機能ブロックであるナビゲーション機能部５５と、インターネット接続部５６と、ＡＶデータ記録、再生機能部５７と、メモリ部５８と、携帯情報端末４０のＧＰＳアンテナ４１と、携帯情報端末用アンテナ４２が「ネットパソコンモード」で起動される。例えば、ネットパソコン向けマルチメディア入出力端末３２０の表示モニタ３２１に図１５（ａ）に示すようなメニューを表示する。
【０２１９】
図１５（ａ）は、ネットパソコン向けマルチメディアシステム３１０が「ネットパソコンモード」で起動された場合のネットパソコン向けマルチメディア入出力端末３２０の表示モニタ３２１のメニューの一例を示す図である。
【０２２０】
ネットパソコン向けマルチメディアシステム３１０が「ネットパソコンモード」で起動されたことを示すため、この画面のトップに「ネットパソコン向けマルチメディアシステム」３６１つのタイトルが表示されている。
【０２２１】
「インターネット接続」３６２、「メール作成」３６３、「文書・図表作成」３６４、「オーディオ（音楽再生）」３６５、「ビデオ（ビデオ再生）」３６６のメニューからタッチパネル３３６により、利用したい機能を選択する。
【０２２２】
また、図１５（ｂ）は、図１５（ａ）において「文書・図表作成」３６４を選択した時に表示される画面である。
【０２２３】
この「文書・図表作成」３７１画面を利用して、作業内容を「文書作成」３７２、「表作成」３７３、「図作成」３７４の中から、タッチパネル３３６により選択する。「文書作成」３７２を選択すると、マイクロソフトの文章用作成ソフトの「ワード」（商標）相当のソフトが起動し、「表作成」３７３を選択すると、マイクロソフトの表用作成ソフトの「エクセル」（商標）相当のソフトが起動し、「図作成」３７４を選択すると、マイクロソフトの図用作成ソフトの「ペイント」（商標）相当のソフトが起動する。
【０２２４】
このように、本実施の形態では、携帯情報端末４０を購入すれば、安価なネットパソコン向けマルチメディア入出力端末３２０を購入するだけで、ＡＶ機器、パソコン、カーナビ、タブレット端末の機能を享受することができる。
【０２２５】
（実施の形態５）
図１６は、本発明の実施の形態５に係るマルチメディアシステムの構成を示すブロック図である。実施の形態５は、本発明のマルチメディアシステムを、タブレットシステムに適用した例である。図１と同一構成部分には、同一番号を重複箇所の説明を省略する。
【０２２６】
図１６に示すように、タブレットシステム１０１０は、タブレット入出力端末１０２０と、携帯情報端末４０とから構成される。
【０２２７】
タブレット入出力端末１０２０は、表示モニタ１０２１、スピーカ１０２２、バッテリ１０２３、電源回路１０２４、及びタブレット入出力端末用信号処理部１０３０を備える。
【０２２８】
タブレット入出力端末用信号処理部１０３０は、Ｉ／Ｆ部１０３１、内部バス１０３２、ＣＰＵ１０３３、内部メモリ１０３４、表示モニタ制御部１０３５、タッチパネル１０３６、オーディオ出力部１０３７、及びバッテリ制御部１０３８を備える。
【０２２９】
携帯情報端末４０は、ＧＰＳアンテナ４１、携帯情報端末用アンテナ４２、表示モニタ４３、スピーカ４４、外部メモリ１０４５、バッテリ４６、及び携帯情報端末用信号処理部５０を備える。
【０２３０】
携帯情報端末用信号処理部５０は、Ｉ／Ｆ部５１、内部バス５２、ＣＰＵ５３、内部メモリ５４、ナビゲーション機能部５５、インターネット接続部５６、ＡＶデータ記録・再生機能部５７、メモリ部５８、表示モニタ制御部６０、オーディオ出力部６１、外部メモリコントローラ６２、及びバッテリ制御部６３を備える。
【０２３１】
タブレット入出力端末１０２０のＩ／Ｆ部１０３１と携帯情報端末４０のＩ／Ｆ部５１とは、コネクタ１０７０で接続されている。
【０２３２】
ＣＰＵ内部５３の内部メモリ５４には、携帯情報端末４０のリアルタイム性の高いＯＳプログラムやメモリ管理などの最重要なプログラムが書き込まれている。
【０２３３】
図１７は、タブレットシステム１０１０の構成を模式的に示す図である。
【０２３４】
図１７に示すように、タブレッシステム１３５０は、タブレット入出力端末１３５１と、携帯情報端末１３５２とから構成される。
【０２３５】
タブレット入出力端末１３５１は、表示モニタ１３５３、タブレット入出力端末の筐体１３５４、及びタブレット端末用のペン１３５５を備える。
【０２３６】
タブレット入出力端末１３５１と携帯情報端末１３５２は、共に電源がオフの状態で分離されている（図１７（ａ）参照）。
【０２３７】
通常、タブレット入出力端末１３５１は、家の机の上などに置かれている。一方、携帯情報端末１３５２は、所有者が携帯電話として持ち歩いている。
【０２３８】
携帯情報端末１３５２は、「携帯モード」「タブレットモード」「ＡＶモード」「ネットパソコンモード」の４つのモードで動作するように構成されている。この場合、携帯情報端末１３５２は、タブレット入出力端末１３５１に接続されていないので、既定モードである「携帯モード」で動作している。
【０２３９】
携帯情報端末１３５２の所有者は、帰宅後、タブレット入出力端末１３５１つの筐体１３５４をひっくり返す（図１７（ｂ）参照）。携帯情報端末１３５２の所有者は、タブレッシステム１３５０を使用すべく、タブレット入出力端末１３５１つの裏面１３６０にある携帯情報端末の収納ボックス１３６１つのつまみ１３６２を使用して、携帯情報端末の収納ボックス１３６１つのフタを開ける。タブレット入出力端末の裏面１３６０にある収納ボックス１３６１の中のコネクター（図示せず）に携帯情報端末１３５２を装着し、収納ボックス１３６１つのフタを閉じる。
【０２４０】
タブレット入出力端末１０２０は、ＣＰＵ１０３３の内部メモリ１０３４の不揮発性メモリ部にリソース情報を記憶する。
【０２４１】
ＣＰＵ１０３３の内部メモリ１０３４の不揮発性メモリ部には、以下の処理をして、タブレット入出力端末１０２０のリソース情報を書き込む。
【０２４２】
タブレット入出力端末１０２０の電源を単独で「オン」すると、ＣＰＵ１０３３はその内部メモリ１０３４のブートプログラム（図示せず）が走り、表示モニタ１０２１に必須機能である表示モニタ、オーディオとオプション機能などの機能一覧表を表示する。タッチパネル１０３６を使用して、タブレット入出力端末１０２０が具備している機能にタッチして、ＣＰＵ１０３３の内部メモリ１０３４の不揮発性メモリ部にリソース情報を入力する。
【０２４３】
タブレット入出力端末１０２０の電源回路１０２４には、電源コンセントから電源が供給されている。この電流はバッテリ１０２３に供給され、これを充電するとともにバッテリ制御回路１０３８を経由してＩ／Ｆ１０３１に接続されている。電源回路１０２４を「オン」すると、まず、ＣＰＵ１０３３がその内部メモリ１０３４の不揮発性メモリ部に記録されている必須機能、オプション機能の内容であるリソース情報を読み出す。
【０２４４】
タブレット入出力端末１０２０のＩ／Ｆ部１０３１と携帯情報端末４０のＩ／Ｆ部５１とは、コネクタ１０７０で接続されている。このＩ／Ｆ信号の中に電源電位のライン、グランド電位のラインが含まれているので、携帯情報端末４０の携帯情報端末用信号処理部５０の電源電位、グランド電位はこれから供給される。なお、携帯情報端末用信号処理部５０以外のブロックであるＧＰＳアンテナ４１と、携帯情報端末用アンテナ４２と、表示モニタ４３と、スピーカ４４と、外部メモリ１０４５などの消費電力は多少大きいが、これらの電源電位、グランド電位も、Ｉ／Ｆ部３１とＩ／Ｆ部５１から内部バス５２、バッテリ制御部６３経由でバッテリ４６に充電された電力をもとに供給される。
【０２４５】
〔携帯情報端末４０における各モード起動〕
タブレット入出力端末１０２０のＣＰＵ１０３３は、内部メモリ１０３４の不揮発性メモリ部に記録されている前記必須機能、及び前記オプション機能の内容であるリソース情報を読み出す。
【０２４６】
その後、タブレット入出力端末１０２０のＣＰＵ１０３３は、Ｉ／Ｆ部３１及び携帯情報端末４０のＩ／Ｆ部５１を経由して、携帯情報端末用信号処理部５０のＣＰＵ５３の内部メモリ５４に、タブレット入出力端末１０２０のリソース情報を書き込む。
【０２４７】
携帯情報端末用信号処理部５０のＣＰＵ５３は、リソース情報及び動作モード切替情報基づいて、携帯情報端末用信号処理部５０の各機能ブロックであるナビゲーション機能部５５と、インターネット接続部５６と、ＡＶデータ記録・再生機能部５７と、メモリ部５８と、携帯情報端末４０のＧＰＳアンテナ４１と、携帯情報端末用アンテナ４２と、外部メモリ４５とを共に「タブレットモード」で起動する。
【０２４８】
「タブレットモード」においては、携帯情報端末４０の表示モニタ４３と、スピーカ４４への電気的な接続は解除され、これらのリソースに代わって、タブレット入出力端末１０２０の表示モニタ１０２１とスピーカ１０２２とを使用する。
【０２４９】
この場合、低消費電力化のために携帯情報端末用信号処理部５０の表示モニタ制御部６０と、オーディオ出力部６１のブロックに供給されている電源は遮断する。
【０２５０】
〔表３〕は、携帯情報端末、タブレットシステム、ネットＡＶシステム、ネットパソコンがそれぞれどのような機能を内蔵するかの仕様検討した結果を示す。この内容はあくまで一例であり、この例以外の機能割り当ても可能である。
【０２５１】
【表３】
2012226670.tif 000005
〔表３〕において、◎印は、主要な機能として内蔵すべき機能である。また、データ容量が大きい機能である。例えば、オーディオ（音楽再生）データも、１５００曲程度で４ＧＢ程度になる。ビデオ（ビデオ再生）データは、ハイビジョンでなく、通常のＤＶＤ画質の映画１本でも５ＧＢ程度になるので、映画の保存には、制限が必要である。
【０２５２】
○印は、主要な機能として内蔵することが好ましい機能である。データ容量はそれほど大きくは無い機能である。また、△印は、簡易機能を内蔵する。×印の機能は、内蔵しない。
【０２５３】
〔外部メモリ１０４５に保存されるプログラムの内容〕
図１８は、外部メモリ１０４５に保存されるプログラムの内容を示す図である。図１８は、〔表５〕の検討結果を基に作成している。
【０２５４】
図１８に示すように、外部メモリ１０４５には、携帯情報端末用プログラム１１１０と、タブレットシステム用プログラム１１２０と、ＡＶシステム用プログラム１１３０と、ネットパソコン用プログラム１１４０とが格納される。
【０２５５】
[携帯情報端末用プログラム１１０]
携帯情報端末用プログラム１１１０は、携帯情報端末用プログラム（図示せず）のほかに、簡易メール用データ１１１２を内蔵した簡易メール用プログラム１１１１、簡易インターネット用データ１１１４を内蔵した簡易インターネット接続用プログラム１１１３、簡易オーディオ用データ１１１６を内蔵した簡易オーディオ用プログラム１１１５、及び簡易カーナビ用データ１１１８を内蔵した簡易カーナビ用プログラム１１１７などを含む。
【０２５６】
[タブレットシステム用プログラム１１２０]
タブレットシステム用プログラム１１２０は、デジタル教科書などのタブレット端末用データ１１２２を内蔵した主要なプログラムであるタブレット端末用プログラム１１２１のほか、簡易文書・図表作成用データ１１２４を内蔵した簡易文書・図表作成用プログラム１１２３、簡易インターネット用データ１１２６を内蔵した簡易インターネット接続用プログラム１１２５、簡易オーディオ用データ１１２８を内蔵した簡易オーディオ用プログラム１１２７、及び簡易ビデオ用データ１１２９ｂを内蔵した簡易ビデオ用プログラム１１２９ａなどを含む。
【０２５７】
[ＡＶシステム用プログラム１１３０]
ＡＶシステム用プログラム１１３０は、オーディオ用データ１１３２を内蔵した主要なプログラムであるオーディオ（音楽再生）用プログラム１１３１とビデオ用データ１１３４を内蔵した同じく主要なプログラムであるビデオ（ビデオ再生）用プログラム１１３３のほか、簡易インターネット用データ１１３６を内蔵した簡易インターネット接続用プログラム１１３５などを含む。
【０２５８】
また、ＡＶシステム用プログラム１１３０には、オーディオ用データ１１３２を内蔵したオーディオ（音楽再生）用プログラム１１３１と、ビデオ用データ１１３４を内蔵したビデオ（ビデオ再生）用プログラム１１３３とが内蔵されている。
【０２５９】
「ＡＶモード」を活用して過去にインターネット経由でダウンロードした楽曲データは、オーディオ用データ１１３２として保存されている。また、インターネット経由でダウンロードした映画などの映像データは、ビデオ用データ１１３４として保存されている。
【０２６０】
[ネットパソコンシステム用プログラム１１４０]
ネットパソコンシステム用プログラム１１４０は、インターネット用データ１１４２を内蔵した主要なプログラムであるインターネット接続用プログラム１１４１と、メール用データ１１４４を内蔵した同じく主要なプログラムであるメール用プログラム１１４３と、文書・図表用データ１１４６を内蔵した同じく主要なプログラムである文書・図表作成用プログラム１１４５のほか、簡易オーディオ用データ１１４８を内蔵した簡易オーディオ用プログラム１１４７と、簡易ビデオ用データ１１４９ｂを内蔵した簡易ビデオ用プログラム１１４９ａとを含む。
【０２６１】
上記オーディオ（音楽再生）用プログラム１１３１は、イコライザー機能や音場制御などの高音質な音楽再生のための様々な機能が内蔵されている。しかし、簡易オーディオ用プログラム１１１５、簡易オーディオ用プログラム１１２７及び簡易オーディオ用プログラム１１４７は、音の強弱の調整機能や音楽の進行制御などの音楽再生のための最低限な機能に機能が限定されている。
【０２６２】
これら簡易オーディオ用プログラム１１１５、簡易オーディオ用プログラム１１２７及び簡易オーディオ用プログラム１１４７の機能は、オーディオ（音楽再生）用プログラム１１３１つの機能のサブセットである。簡易オーディオ用プログラム１１１５、簡易オーディオ用プログラム１１２７、簡易オーディオ用プログラム１１４７の間の相違は、それぞれのプログラムを実行したときに表示される表示モニタのＵＩ画面の相違である。携帯情報機器の表示モニタは、例えば３．５インチ程度であるのに対して、タブレット端末での表示モニタは１５インチ程度、ＡＶシステムでの表示モニタは２４インチ程度、ネットパソコンの表示モニタは１２インチ程度と大幅にそれぞれの表示モニタの大きさが異なるので、それぞれの表示モニタ画面に表示されるＵＩ画面とする。
【０２６３】
「タブレットモード」においてデジタル教科書機能を活用する場合には、例えば１５インチ程度の表示モニタ１０２１用に理科、社会などの各科目のデジタル教科書の内容をその主だった内容にするタブレット端末用データ１１２２を内蔵したタブレット端末用システム用プログラム１１２１が動作する。
【０２６４】
ネットパソコン用プログラム１１４０には、文書・図表作成用データ１１４６を内蔵した文章・図表作成用プログラム１１４５があり、「ネットパソコンモード」で作成した文章や図表などは、文書・図表作成用データ１１４６として保存されている。また、「ネットパソコンモード」では、本格的なインターネット接続用のプログラムや、本格的なメール用のプログラムが動作する。
【０２６５】
図１９（ａ）は、外部メモリ１０４５からメモリ部５８にロードするプログラムを具体的に示す図である。図１９（ａ）中、太い矢印は主要なプログラムをロードすることを表し、細い矢印は簡易プログラムをロードすることを表している。
【０２６６】
本実施の形態のタブレットシステム１０１０が、「携帯モード」で起動するときには、携帯情報端末用プログラム１１１０として外部メモリ１０４５からメモリ部５８に簡易メール用プログラム１１１１と簡易インターネット接続用プログラム１１１３をロードする。また、簡易オーディオ用プログラム１１１５や簡易カーナビ用プログラム１１１７は選択された場合のみ外部メモリ１０４５からメモリ部５８にロードする。つまり「携帯モード」において表示モニタのメニューで選択された場合のみ、簡易オーディオ用プログラム１１１５や簡易カーナビ用プログラム１１１７も利用できるように外部メモリ１０４５からメモリ部５８にロードする。この場合、ロードする簡易オーディオ用データ１１１６と簡易カーナビ用データ１１１８は最低限のメモリ容量に限定する。
【０２６７】
本実施の形態のタブレットシステム１０１０が、「タブレットモード」で起動するときには、タブレットシステム用プログラム１１２０のうち、「タブレットモード」で最低限必要な部分のみ、外部メモリ１０４５からメモリ部５８にロードする。具体的には、外部メモリ１０４５からメモリ部５８にロードされるプログラムは、タブレット端末用プログラム１１２１である。さらに「タブレットモード」において表示モニタのメニューで選択された場合には、簡易文章・図表作成プログラム１１２３や簡易インターネット接続用プログラム１１２５や簡易オーディオ用プログラム１１２７や簡易ビデオ用プログラム１１２９ａも外部メモリ１０４５からメモリ部５８にロードする。
【０２６８】
本実施の形態のタブレットシステム１０１０が、「ＡＶモード」で起動するときには、ＡＶ用プログラム１１３０のうち、「ＡＶモード」で最低限必要な部分のみ、外部メモリ１０４５からメモリ部５８にロードする。具体的には、メモリ部５８にロードされるプログラムは、オーディオ（音楽再生）用プログラム１１３１とビデオ（ビデオ再生）用プログラム１１３３である。さらに「ＡＶモード」において表示モニタのメニューで選択された場合には、簡易インターネット接続用プログラム１１３５も外部メモリ１０４５からメモリ部５８にロードする。
【０２６９】
本実施の形態のタブレットシステム１０１０が、「ネットパソコンモード」で起動されると、ネットパソコン用プログラム１１４０の内、「ネットパソコンモード」で最低限必要な部分のみ、外部メモリ１０４５からメモリ部５８にロードされる。具体的には、メモリ部５８にロードされるプログラムは、インターネット接続用プログラム用プログラム１１４１、メール用プログラム１１４３及び文書・図表作成用プログラム１１４５である。さらに「ネットパソコンモード」において表示モニタのメニューで選択された場合には、簡易オーディオ接続用プログラム１１４７や簡易ビデオ用プログラム１１４９外部メモリ１０４５からメモリ部５８にロードする。
【０２７０】
ところで、「ＡＶモード」で本格的に音楽を聴く以外に、「携帯モード」で携帯電話をオーディオプレーヤのように使用して音楽を聴いたり、「タブレットモード」でデジタル教科書を利用して学習しながら音楽を聴いたり、「ネットパソコンモード」で文書を作成しながら音楽を聴いたりする人も多い。これらのモードでも表示モニタのメニューで選択することにより、それぞれのモードにおいて簡易オーディプログラムをメインメモリであるメモリ部５８にロードようにする。
【０２７１】
但し、メモリ部５８のメモリ容量は限られているので、本実施の形態のタブレットシステム１０１０が、「タブレットモード」で起動されたとしても、タブレットシステム用プログラム１１２０の内、外部メモリ１０４５からメモリ部５８にロードされるのは、動作上最低限の内容にとどめ、それ以外の内容は外部メモリ１０４５に残しておく。デジタル教科書のデータ容量は、たとえ理科、社会などでカラーの図をふんだんに使用したとしても、長時間の動画を使用しない限り、すべての教科を合計しても２ＧＢ程度以内である。したがって、デジタル教科書のデータすべてを外部メモリ１０４５からメモリ部５８にロードしても動作上は問題ないであろう。
【０２７２】
同様に、本実施の形態のタブレットシステム１０１０が、「ＡＶモード」で起動されたとしても、ＡＶ用プログラム１１３０の内、外部メモリ１０４５からメモリ部５８にロードされるのは、動作上最低限の内容にとどめ、それ以外の内容は外部メモリ１０４５に残しておく。特に、「ＡＶモード」における音楽データやビデオデータは膨大なこともあるので、その場合すべてを外部メモリ１０４５からメモリ部５８にロードすることはできない。選別基準を明確にして、現在の動作に必要な最低限のデータのみ、外部メモリ１０４５からメモリ部５８にロードする。例えば、お気に入りのホルダーに入れた曲や最近聴かれた曲を外部メモリ１０４５からメモリ部５８にロードするようにする。但し、使用しようとするデータがメモリ部５８に無かったとしても、外部メモリ１０４５はＨＤＤやＮＡＮＤフラッシュメモリで構成されているので、極端にアクセス速度が遅くなることは無い。
【０２７３】
図１９（ｂ）は、「携帯モード」と「カーナビモード」と「ネットパソコンモード」の異なったＵＩのデータを示す図である。
【０２７４】
図１９（ｂ）において、１１７５のＵＩ(1)には「携帯モード」用のＵＩ画面用のデータが、１１７６のＵＩ(2)には「タブレットモード」用のＵＩ画面用のデータが、１１７７のＵＩ(3)には「ネットパソコンモード」用のＵＩ画面用のデータが格納されている。また、１１７８のＵＩ(4)には「ＡＶモード」用のＵＩ画面用のデータが格納されている。
【０２７５】
簡易オーディオ用プログラム１１６６は「携帯モード」と「タブレットモード」と「ネットパソコンモード」で動作する場合でも、外部メモリ１１６０からメモリ部５８にロードされるが、それぞれ表示モニタの大きさが異なるため、異なったＵＩを表示する。
【０２７６】
次に、本実施の形態のタブレットシステム１０１０の「タブレットモード」動作の詳細について説明する。
【０２７７】
携帯情報端末用信号処理部５０のＣＰＵ５３が携帯情報端末４０を「タブレットモード」で起動すると、ＣＰＵ５３は図１６の外部メモリ１０４５に保存されているタブレットシステム用プログラム１１２０を、外部メモリ１０４５からメモリ部５８へロードする。
【０２７８】
「タブレットモード」で起動していても、車両に乗っている人がさらに音楽を聞きたい場合もある。本実施の形態では、以下の対策を採る。すなわち、起動時にタブレットシステム用プログラム１２１０の簡易オーディオプログラム１１２７を、併せて、外部メモリ１０４５からメモリ部５８へロードする。この場合は、デジタル教科書画面の一部に簡易なオーディオ操作画面が表示される。このモードでは、一部の曲のみが外部メモリ１０４５からメモリ部５８へロードされる。一部の曲の選別の仕方としていくつかの方法が存在する。例えば、お好みホルダーに入った曲や最近アクセスしたアルバムの曲にする方法などがある。メモリ部５８にロードされていない曲を選別した場合、その曲のデータを外部メモリ１０４５からメモリ部５８にロードする。
【０２７９】
携帯情報端末用信号処理部５０のＣＰＵ５３が、携帯情報端末用信号処理部５０の各機能ブロックであるナビゲーション機能部５５とインターネット接続部５６とＡＶデータ記録、再生機能部５７とメモリ部５８と、携帯情報端末４０のＧＰＳアンテナ４１と、携帯情報端末用アンテナ４２を「タブレットモード」で起動すると、タブレット入出力端末１０２０の表示モニタ１０２１に図２０ａのようなメニューが表示される。
【０２８０】
図２０ａは、タブレットシステム１０１０が「タブレットモード」で起動された場合に、タブレット入出力端末１０２０の表示モニタ１０２１に表示されるメニューの一例を示す図である。タブレットシステム１０１０が「タブレットモード」で起動されたことを示すため、この画面のトップに「タブレットシステム」１１５１つのタイトルが表示される。
【０２８１】
ここではメイン機能である「タブレット端末」１１５２以外に、簡易機能である「文書・図表作成」１１５３、「インターネット接続」１１５４、「オーディオ（音楽再生）」１１５５、「ビデオ（ビデオ再生）１１５６」の機能にタブレット入出力端末１０２０が対応している場合を示している。タブレット端末を使用する人は、「タブレット端末」１１５２、「文書・図表作成」１１５３、「インターネット接続」１１５４、「オーディオ（音楽再生）」１１５５、「ビデオ（ビデオ再生）」１１５６の機能メニューからタッチパネル１０３６により、利用したい機能を選択する。「タブレット端末」１１５２と「オーディオ（音楽再生）」１１５５の機能を同時に楽しみたい人は、連続して２つのボタンにタッチする仕様にすることもできる。
【０２８２】
図２０（ｂ）は、図２０（ａ）において「タブレット端末」１１５２を選択した時にタブレット入出力端末１０２０の表示モニタ１０２１に表示される画面を示す図である。
【０２８３】
この「タブレット端末  デジタル教科書」１１６１つの画面を利用して、「時間割」１１６２を確認するとともに、各教科である「国語」１１６３、「算数」１１６４、「理科」１１６５、「社会」１１６６、「図工」１１６７、「家庭科」１１６８、「保健／体育」１１６９、「英語」１１７０の各デジタル教科書をタッチパネルで選択できる。
【０２８４】
デジタル教科書においては、今までの教科書とは異なり、カラー図面、写真、オーディオ、ビデオを駆使して、多面的な方面からそれぞれの教科の内容を理解できるように作られている。また、タブレットに付属しているペン１３５５を使って、文書を作成したり、絵を描いたりすることもできる。さらに、デジタル教科書の中でインターネットを使って、世界中のホームページにアクセスすることも可能である。
【０２８５】
また、本発明のタブレットシステム１０１０においては、学校の行き帰りは、スマートホンである携帯情報端末４０のみを持ち運ぶので、小学１年生でも持ち運べるほど軽い。
【０２８６】
さらに、小学校の中高学年になって、作文、計算、お絵かき、動画作成、作曲、演奏などを行うようになったら、ネットパソコン向けマルチメディア入出力端末３５１を購入し「ネットパソコンモード」で動作させることにより、より「パソコン」のような様々なことが可能になる。勿論、「タブレットモード」でもある程度のことはできるが、「ネットパソコンモード」、「ＡＶモード」で動作させることにより、本マルチメディアシステムの活用の幅が広がる。
【０２８７】
小中学校だけでなく、高校、大学まで、本発明のタブレットシステム１０１０を普及させれば、本発明のマルチメディアシステムの社会の大きなインフラに発展するであろう。本発明のタブレットシステム１０１０に対応したタブレット入出力端末１０２０と携帯情報端末４０の仕様を各メーカー間で統一することによりその利便性は拡大する。
【０２８８】
このように、携帯情報端末を購入すれば、安価なマルチメディア入出力端末を購入するだけで、ＡＶ機器、パソコン、カーナビ、タブレット端末の機能を享受することができる。
【０２８９】
以上の説明は本発明の好適な実施の形態の例証であり、本発明の範囲はこれに限定されることはない。
【０２９０】
上記実施の形態では、携帯端末及びマルチメディアシステムという名称を用いたが、これは説明の便宜上であり、携帯端末装置、携帯情報端末、カーナビゲーションシステム等であってもよい。
【０２９１】
さらに、上記携帯端末及び入出力端末を構成する各構成部、例えばメモリ部の種類、演算実行処理などは前述した実施の形態に限られない。
【産業上の利用可能性】
【０２９２】
本発明の携帯端末及びマルチメディアシステムは、携帯情報端末を購入すれば、安価なマルチメディア入出力端末を購入するだけで、ＡＶ機器、パソコン、カーナビ、タブレット端末の機能を享受することができる。本発明のマルチメディアシステムは、インターネットへの接続料の節約、ｅメール管理が容易、専用入出力機器による使い勝手の向上、いつでも資料にアクセス可能の特徴を有しており、新興国向けや、わが国の次世代の学校教育向けのタブレット向けの用途に最適である。
【符号の説明】
【０２９３】
１０  車載マルチメディアシステム
２０  車載マルチメディア入出力端末
２１  表示モニタ
２２  スピーカ
２３  バッテリ
２４  電源回路
３０  車載マルチメディア入出力端末用信号処理部
３１  Ｉ／Ｆ部
３２  内部バス
３３  ＣＰＵ
３４  内部メモリ
３５  表示モニタ制御部
３６  タッチパネル
３７  オーディオ出力部
３８  バッテリ制御部
４０  携帯情報端末
【図１】
2012226670.tif 000006
【図２】
2012226670.tif 000007
【図３】
2012226670.tif 000008
【図４】
2012226670.tif 000009
【図５】
2012226670.tif 000010
【図６】
2012226670.tif 000011
【図７】
2012226670.tif 000012
【図８】
2012226670.tif 000013
【図９】
2012226670.tif 000014
【図１０】
2012226670.tif 000015
【図１１】
2012226670.tif 000016
【図１２】
2012226670.tif 000017
【図１３】
2012226670.tif 000018
【図１４】
2012226670.tif 000019
【図１５】
2012226670.tif 000020
【図１６】
2012226670.tif 000021
【図１７】
2012226670.tif 000022
【図１８】
2012226670.tif 000023
【図１９】
2012226670.tif 000024
【図２０】
2012226670.tif 000025